(57)【要約】【課題】顧客とこの顧客の建物の仕様の打合せを行う担当者の経験やスキルに関係なく、顧客の建物の工期に影響を与えることなく顧客の建物の仕様を確定することができるようになる建物仕様確定支援システムを提供すること。【解決手段】顧客の建物を構成する部品の仕様情報を選択入力させるための画面を構成するものであって、顧客の建物の部位カテゴリを選択するための部位カテゴリ選択画面６０には、顧客の建物を構成する部品のうち、仕様を確定させる優先度の高い部品である建物の躯体に関連する部品の仕様情報を選択入力させるための第１モード画面である「打合せモード−躯体関連」のモード画面と、顧客の建物を構成する部品のうち、少なくとも、仕様を確定させる優先度の低い部品の仕様情報を選択入力させるための第２モード画面である「打合せモード−それ以外」のモード画面と、を含む複数のモード画面で構成されている。【選択図】図３
2015212847.tif 000002
【特許請求の範囲】
【請求項１】
建物の仕様を確定するために必要なデータを管理するサーバと、このサーバにネットワークを介して接続された利用者が操作する端末装置と、を含んで構成され、
前記サーバは、顧客の建物を構成する部品の仕様情報を前記顧客の前記建物の識別情報と関連付けて記憶する建物仕様情報記憶手段と、前記顧客の前記建物を構成する前記部品の前記仕様情報を選択入力させるための建物仕様情報選択入力画面の表示用データを前記端末装置へ送信するとともに、前記建物仕様情報選択入力画面で選択入力されて前記端末装置から前記ネットワークを介して送信されてくる前記部品の前記仕様情報を受信する処理を実行する建物仕様情報選択入力受付処理手段と、この建物仕様情報選択入力受付処理手段により受け付けた前記部品の前記仕様情報を前記顧客の前記建物の前記識別情報と関連付けて前記建物仕様情報記憶手段に記憶させる処理を実行する建物仕様情報登録処理手段と、を備えており、
前記建物仕様情報選択入力画面には、前記顧客の前記建物を構成する前記部品の前記仕様情報の全ての選択入力が可能な担当者モード画面と、前記顧客の前記建物を構成する前記部品の前記仕様情報のうち、前記顧客とこの顧客の前記建物の仕様の打合せを行う担当者側で確定すべき仕様情報を除いた仕様情報の選択入力が可能な顧客モード画面と、がある建物仕様確定支援システムにおいて、
前記顧客モード画面は、前記顧客の前記建物を構成する前記部品のうち、仕様を確定させる優先度の高い前記部品の仕様情報を選択入力させるための第１モード画面と、前記顧客の前記建物を構成する前記部品のうち、少なくとも、仕様を確定させる優先度の低い前記部品の仕様情報を選択入力させるための第２モード画面と、を含む複数のモード画面で構成されていることを特徴とする建物仕様確定支援システム。
【請求項２】
請求項１に記載の建物仕様確定支援システムにおいて、仕様を確定させる優先度の高い前記部品は、前記顧客の前記建物を構成する前記部品であって発注から納品までの期間が長い部品であることを特徴とする建物仕様確定支援システム。
【請求項３】
請求項２に記載の建物仕様確定支援システムにおいて、発注から納品までの期間が長い前記部品は、前記顧客の前記建物の躯体に関連する部品であることを特徴とする建物仕様確定支援システム。
【請求項４】
請求項３に記載の建物仕様確定支援システムにおいて、前記サーバは、前記第１モード画面で前記仕様情報が選択入力された前記部品により構成される前記躯体が構造的に問題ないかをチェックするための構造チェックシートを出力するための構造チェックシート出力処理手段を備えていることを特徴とする建物仕様確定支援システム。
【請求項５】
請求項１〜４のいずれかに記載の建物仕様確定支援システムにおいて、前記建物仕様情報選択入力画面には、前記担当者モード画面と、前記顧客モード画面を構成する前記複数のモード画面の表示切り替えを行うための切替ボタンが配置されていることを特徴とする建物仕様確定支援システム。
【請求項６】
請求項１〜５のいずれかに記載の建物仕様確定支援システムにおいて、前記建物仕様情報選択入力画面は、前記顧客の前記建物を構成する部位のカテゴリである部位カテゴリの一覧を表示するとともにこの一覧から前記仕様情報を選択入力する前記部品のカテゴリである部品カテゴリが属する前記部位カテゴリを選択させるための部位カテゴリ選択画面と、この部位カテゴリ選択画面で選択された前記部位カテゴリに属する前記部品カテゴリの一覧を表示するとともにこの一覧から前記仕様情報を選択入力する前記部品が属する前記部品カテゴリを選択させるための部品カテゴリ選択画面と、この部品カテゴリ選択画面で選択された前記部品カテゴリに属する前記部品の一覧を表示するとともにこの一覧から前記仕様情報を選択入力する前記部品を選択させるための部品選択画面と、この部品選択画面で選択された前記部品の前記仕様情報を選択入力させるための部品仕様情報選択入力画面と、を含んで構成されており、これらの画面には、前記担当者モード画面と、前記顧客モード画面を構成する前記複数のモード画面と、があることを特徴とする建物仕様確定支援システム。
【請求項７】
請求項６に記載の建物仕様確定支援システムにおいて、前記部品仕様情報選択入力画面で選択入力される前記部品の前記仕様情報には、前記部品の属性種別と、この属性種別に対して選択可能な属性値と、を含んで構成される部品属性情報があり、前記優先度は、前記部位カテゴリ選択画面で一覧表示されるそれぞれの前記部位カテゴリと、前記部品カテゴリ選択画面で一覧表示されるそれぞれの前記部品カテゴリと、前記部品選択画面で一覧表示されるそれぞれの前記部品と、前記部品仕様情報選択入力画面で選択される前記属性値が属する前記属性種別と、に対して予め設定されていることを特徴とする建物仕様確定支援システム。
【請求項８】
請求項７に記載の建物仕様確定支援システムにおいて、前記部位カテゴリごとに予め設定されている前記優先度は、前記部位カテゴリ選択画面の担当者モード画面において、前記顧客の前記建物ごとに変更可能となっていることを特徴とする建物仕様確定支援システム。
【発明の詳細な説明】
【技術分野】
【０００１】
本発明は、建物の仕様の確定を支援するための建物仕様確定支援システムに係り、例えば、住宅、事務所、倉庫、店舗、工場、校舎、宿泊所、車庫等の仕様の確定を支援するために利用することができる。
【背景技術】
【０００２】
従来より、コンピュータを利用して建物の仕様の確定を支援するための建物仕様確定支援システムが提案されている。
【０００３】
下記の特許文献１に示されている建物仕様確定支援システムである住宅仕様確定支援システムは、図１に示されているように、建物である住宅の仕様を確定するために必要なデータを管理するサーバ１と、このサーバ１にネットワーク２を介して接続された利用者が操作する端末装置３と、を含んで構成されるものであり、サーバ１は、顧客の住宅を構成する部品の仕様情報（部品の属性情報等）を顧客の識別情報である顧客ＩＤと関連付けて記憶する建物仕様情報記憶手段である住宅仕様情報記憶手段を構成する住宅仕様情報テーブル１１（図１１参照）と、顧客の住宅を構成する部品の仕様情報を選択入力させるための建物仕様情報選択入力画面である住宅仕様情報選択入力画面を構成する部品属性情報（部品仕様情報）選択入力画面１１０（図７参照）等の表示用データを端末装置３へ送信するとともに、部品属性情報選択入力画面１１０等で選択入力されて端末装置３からネットワーク２を介して送信されてくる部品の仕様情報を受信する処理を実行する建物仕様情報選択入力受付処理手段である住宅仕様情報選択入力受付処理手段２１（図１参照）と、この住宅仕様情報選択入力受付処理手段２１により受け付けた部品の仕様情報を顧客ＩＤと関連付けて住宅仕様情報テーブル１１に記憶させる処理を実行する建物仕様情報登録処理手段である住宅仕様情報登録処理手段３１（図１参照）と、を備えている。
【０００４】
そして、下記の特許文献１に示されている住宅仕様確定支援システムでは、住宅仕様情報選択入力画面を構成するカテゴリ表示・選択画面４０（図２参照）、構成部材表示・選択画面６０（図４参照）、部品表示・選択画面８０（図６参照）、部品属性情報選択入力画面１１０（図７参照）等には、顧客の住宅を構成する部品の仕様情報の全ての選択入力が可能な担当者モード画面と、顧客の住宅を構成する部品の仕様情報のうち、顧客とこの顧客の住宅の仕様の打合せを行う担当者側で確定すべき仕様情報を除いた仕様情報の選択入力が可能な顧客モード画面であるお客様モード画面と、がある。
【０００５】
これにより、顧客は、担当者側で確定すべき部品の仕様については打合せを行う必要がなくなり、担当者側で確定すべき仕様情報の確定作業については担当者に任せることができる。
【０００６】
このため、住宅の仕様を確定するための打合せの時間の短縮を図ることできる。すなわち、住宅の仕様を確定するための打合せを迅速に行うことができるようになっている。
【先行技術文献】
【特許文献】
【０００７】
【特許文献１】特開２０１０−２５０３５７号公報
【発明の概要】
【発明が解決しようとする課題】
【０００８】
しかしながら、顧客モード画面において仕様を確定すべき部品は、かなりの数に及ぶため、経験やスキルのない担当者にとっては、どの部品から顧客との仕様の打合せをしてよいのか分からない場合があり、打合せの進め方によっては、顧客の住宅の工期にも影響が生じるおそれがあった。
【０００９】
このため、担当者の経験やスキルに関係なく、顧客の住宅の工期に影響を与えることなく顧客の住宅の仕様を確定することができるように住宅仕様確定支援システムを工夫することが求められていた。
【００１０】
本発明の目的は、顧客とこの顧客の建物の仕様の打合せを行う担当者の経験やスキルに関係なく、顧客の建物の工期に影響を与えることなく顧客の建物の仕様を確定することができるようになる建物仕様確定支援システムを提供するところにある。
【課題を解決するための手段】
【００１１】
本発明に係る建物仕様確定支援システムは、建物の仕様を確定するために必要なデータを管理するサーバと、このサーバにネットワークを介して接続された利用者が操作する端末装置と、を含んで構成され、前記サーバは、顧客の建物を構成する部品の仕様情報を前記顧客の識別情報と関連付けて記憶する建物仕様情報記憶手段と、前記顧客の前記建物を構成する前記部品の前記仕様情報を選択入力させるための建物仕様情報選択入力画面の表示用データを前記端末装置へ送信するとともに、前記建物仕様情報選択入力画面で選択入力されて前記端末装置から前記ネットワークを介して送信されてくる前記部品の前記仕様情報を受信する処理を実行する建物仕様情報選択入力受付処理手段と、この建物仕様情報選択入力受付処理手段により受け付けた前記部品の前記仕様情報を前記顧客の前記識別情報と関連付けて前記建物仕様情報記憶手段に記憶させる処理を実行する建物仕様情報登録処理手段と、を備えており、前記建物仕様情報選択入力画面には、前記顧客の前記建物を構成する前記部品の前記仕様情報の全ての選択入力が可能な担当者モード画面と、前記顧客の前記建物を構成する前記部品の前記仕様情報のうち、前記顧客とこの顧客の前記建物の仕様の打合せを行う担当者側で確定すべき仕様情報を除いた仕様情報の選択入力が可能な顧客モード画面と、がある建物仕様確定支援システムにおいて、前記顧客モード画面は、前記顧客の前記建物を構成する前記部品のうち、仕様を確定させる優先度の高い前記部品の仕様情報を選択入力させるための第１モード画面と、前記顧客の前記建物を構成する前記部品のうち、少なくとも、仕様を確定させる優先度の低い前記部品の仕様情報を選択入力させるための第２モード画面と、を含む複数のモード画面で構成されていることを特徴とするものである。
【００１２】
本発明では、顧客の建物を構成する部品の仕様情報のうち、顧客とこの顧客の建物の仕様の打合せを行う担当者側で確定すべき仕様情報を除いた仕様情報の選択入力が可能な顧客モード画面は、第１モード画面（言い換えると、第１顧客モード画面）と、第２モード画面（言い換えると、第２顧客モード画面）と、を含む複数のモード画面で構成されており、第１モード画面は、顧客の建物を構成する部品のうち、仕様を確定させる優先度の高い部品の仕様情報を選択入力させるためのモード画面となっており、第２モード画面は、顧客の建物を構成する部品のうち、少なくとも、仕様を確定させる優先度の低い部品の仕様情報を選択入力させるためのモード画面となっている。
【００１３】
このため、担当者は、顧客とこの顧客の建物の仕様の打合せをするとき、まず第１モード画面において、仕様を確定させる優先度の高い部品の仕様情報を選択入力する（あるいは顧客に選択入力させる）。そして、仕様を確定させる優先度の高い全ての又は略全ての部品の仕様情報を選択入力する作業が完了したら、担当者は、第２モード画面において、仕様を確定させる優先度の低い部品の仕様情報を選択入力する（あるいは顧客に選択入力させる）。
【００１４】
このように、本発明では、顧客の建物に対する経験やスキルがない担当者でも、仕様を確定させる優先度の高い部品の仕様情報を選択入力する作業から始めることができる。
【００１５】
このため、本発明によると、担当者の顧客の建物に対する経験やスキルの有無に関係なく、顧客の建物の工期に影響を与えることなく顧客の建物の仕様を確定することができるようになる。
【００１６】
また、本発明によると、担当者モード画面と顧客モード画面の２つのモード画面で構成されていた従来と比較して、顧客の建物の仕様を確定させるための打合せの時間をより短縮化させることができる。
【００１７】
なお、本発明では、前述したように「前記顧客モード画面は、顧客の前記建物を構成する前記部品のうち、仕様を確定させる優先度の高い前記部品の仕様情報を選択入力させるための第１モード画面と、前記顧客の前記建物を構成する前記部品のうち、少なくとも、仕様を確定させる優先度の低い前記部品の仕様情報を選択入力させるための第２モード画面と、を含む複数のモード画面で構成されている」とあり、これは、顧客モード画面は、３つ以上のモード画面で構成されるものとしてもよいという意味である。
【００１８】
例えば、顧客モード画面は、顧客の建物を構成する部品のうち、仕様を確定させる優先度が高度の部品の仕様情報を選択入力させるための第１モード画面と、顧客の建物を構成する部品のうち、仕様を確定させる優先度が中度の部品の仕様情報を選択入力させるための第２モード画面と、顧客の建物を構成する部品のうち、仕様を確定させる優先度が低度の部品の仕様情報を選択入力させるための第３モード画面と、で構成されるものとしてよい。
【００１９】
なお、「前記顧客の前記建物を構成する前記部品のうち、少なくとも、仕様を確定させる優先度の低い前記部品の仕様情報を選択入力させるための第２モード画面」とは、第２モード画面において、第１モード画面で選択入力された仕様を確定させる優先度の高い部品の仕様情報を修正することができるようにしてもよいという意味である。
【００２０】
なお、本発明において、前述した「前記顧客の前記建物を構成する前記部品の前記仕様情報を選択入力させるための建物仕様情報選択入力画面」には、顧客の建物を構成する部品の仕様情報を選択入力させるための画面の他、部品の仕様情報を選択入力させるに際し、仕様情報を選択入力させる部品が属するカテゴリである部品カテゴリを選択させるための画面や、この部品カテゴリが属する上位のカテゴリである建物の部位カテゴリを選択させるための画面等が含まれる。
【００２１】
本発明において、「仕様を確定させる優先度の高い部品」の一例は、顧客の建物を構成する部品であって発注から納品までの期間が長い部品である。また、「仕様を確定させる優先度の高い部品」の他の一例は、顧客の建物を構成する部品であって確定させる仕様情報の数が多い部品である。
【００２２】
本発明において、「発注から納品までの期間が長い部品」の一例は、顧客の建物の躯体に関連する部品である。また、「発注から納品までの期間が長い部品」の他の一例は、海外で受注生産される日本製あるいは外国製の部品である。
【００２３】
なお、「発注から納品までの期間が長い部品」が、上述したように、顧客の建物の躯体に関連する部品となっている場合には、サーバには、第１モード画面で仕様情報が選択入力された部品により構成される躯体が構造的に問題ないかをチェックするための構造チェックシートを出力するための構造チェックシート出力手段を備えるようにすることが好ましい。
【００２４】
これによると、第１モード画面で仕様情報が選択入力されたが、使用されることにより顧客の建物の躯体に問題が生じる部品が発注されることを未然に防止することができる。
【００２５】
なお、サーバに備えられる構造チェックシート出力処理手段により出力される構造チェックシートは、端末装置に接続されている出力手段であるプリンターに直接出力されるものでもよく、サーバに備えられている記憶媒体にデータファイルとして保存された後、このデータファイルが、サーバに備えられている構造チェックシートダウンロード処理手段により、端末装置でダウンロード処理されるものでよい。
【００２６】
後者の場合において、構造チェックシートのデータファイルのデータ形式は、例えば、スプレッドシート形式のものでもよく、文書ビューワーソフトウェアで閲覧できる形式のものでもよい。
【００２７】
本発明において、建物仕様情報選択入力画面の担当者モード画面と、顧客モード画面を構成する複数のモード画面の表示切り替えは、１つのウィンドウ内で行われる方式であってもよく、なくてもよい。
【００２８】
前者の場合、それぞれの画面に設けたタブを操作することによって画面の表示切り替えが行われるものであってもよく、建物仕様情報選択入力画面の枠外に配置した切替ボタンを操作することによってこれらの画面の表示切り替えが行われるものであってもよい。
【００２９】
以上の本発明において、建物仕様情報選択入力画面の構成は任意なものでよく、その一例として、前記顧客の前記建物を構成する部位のカテゴリである部位カテゴリの一覧を表示するとともにこの一覧から前記仕様情報を選択入力する前記部品のカテゴリである部品カテゴリが属する前記部位カテゴリを選択させるための部位カテゴリ選択画面と、この部位カテゴリ選択画面で選択された前記部位カテゴリに属する前記部品カテゴリの一覧を表示するとともにこの一覧から前記仕様情報を選択入力する前記部品が属する前記部品カテゴリを選択させるための部品カテゴリ選択画面と、この部品カテゴリ選択画面で選択された前記部品カテゴリに属する前記部品の一覧を表示するとともにこの一覧から前記仕様情報を選択入力する前記部品を選択させるための部品選択画面と、この部品選択画面で選択された前記部品の前記仕様情報を選択入力させるための部品仕様情報選択入力画面と、を含んで構成されており、これらの画面には、前記担当者モード画面と、前記顧客モード画面を構成する前記複数のモード画面と、があるものを挙げることができる。
【００３０】
なお、この例において、部品仕様情報選択入力画面で選択入力される部品の仕様情報には、部品の属性種別と、この属性種別に対して選択可能な属性値と、を含んで構成される部品属性情報がある。
【００３１】
また、この例において、仕様を確定させる優先度は、部位カテゴリ選択画面で一覧表示されるそれぞれの部位カテゴリと、部品カテゴリ選択画面で一覧表示されるそれぞれの部品カテゴリと、部品選択画面で一覧表示されるそれぞれの部品と、部品仕様情報選択入力画面で選択される属性値が属する属性種別と、に対して予め設定する。
【００３２】
この場合において、部位カテゴリごとに予め設定されている優先度は、部位カテゴリ選択画面の担当者モード画面において、顧客の建物ごとに変更可能となっていてもよく、なっていなくてもよい。
【００３３】
以上の本発明において、「建物」とは、例えば、住宅、事務所、倉庫、店舗、工場、校舎、宿泊所、車庫等をいう。
【００３４】
また、以上の本発明において、「担当者」とは、例えば、建物の販売店の営業担当者（専門知識を有する建築士等の有資格者が好ましい）でもよく、設計担当者でもよく、施工担当者等でもよい。また、本発明において、顧客とは、建物の建築主である施主及びその家族等をいう。
【００３５】
なお、本発明において、「記憶手段に記憶させる処理」とは、記憶手段にデータ（言い換えると、レコード）を新規登録する処理、又は記憶手段に既に登録されているデータ（登録済のデータ）を更新する処理をいう。
【００３６】
また、本発明において、画面のボタン、アイコン、カード、情報表示欄等の「操作」とは、マウスのクリック操作やキーボード操作、ディスプレイがタッチパネル方式のものである場合には、画面のタップ操作等をいう。
【００３７】
本発明において、ネットワークとは、有線ネットワークでもよく、無線ネットワークでもよく、また、これらを併用したものでもよい。
【００３８】
また、本発明において、端末装置は任意なものでよく、この端末装置は、例えば、市販されているデスクトップパソコンでもよく、ノートパソコンでもよく、タブレットパソコンでもよく、端末機能しか有さない端末専用装置（移動可能のものでもよく、移動不可能のものでもよい）でもよく、あるいは、これらを併用するものでもよい。端末装置が携帯可能なノートパソコンやタブレットパソコン等となっている場合には、担当者は、端末装置を持って顧客の居る場所へ訪問し、その場で顧客と端末装置を使用しながらこの顧客の建物の仕様の打合せを行うことができるようになる。
【発明の効果】
【００３９】
本発明によると、顧客とこの顧客の建物の仕様の打合せを行う担当者の経験やスキルに関係なく、顧客の建物の工期に影響を与えることなく顧客の建物の仕様を確定することができるようになるという効果を得られる。
【図面の簡単な説明】
【００４０】
【図１】図１は、本発明の一実施形態に係る建物仕様確定支援システムのシステム構成図である。
【図２】図２は、「打合せモード−躯体関連」の部位カテゴリ（大分類）選択画面を示す図である。
【図３】図３は、「打合せモード−躯体関連」の部位カテゴリ（大分類）選択画面及び部位カテゴリ（中分類）選択画面を示す図である。
【図４】図４は、「打合せモード−それ以外」の部位カテゴリ（大分類）選択画面を示すである。
【図５】図５は、「打合せモード−それ以外」の部位カテゴリ（大分類）選択画面及び部位カテゴリ（中分類）選択画面を示す図である。
【図６】図６は、「担当者モード」の部位カテゴリ（大分類）選択画面及び部位カテゴリ（中分類）選択画面を示す図である。
【図７】図７は、「打合せモード−躯体関連」の部品カテゴリ選択画面及び部品選択画面を示す図である。
【図８】図８は、「打合せモード−躯体関連」の部品仕様情報選択入力画面を示す図である。
【図９】図９は、図８において部品の属性情報の選択が確定した後の部品カテゴリ選択画面及び部品選択画面を示す図である。
【図１０】図１０は、図９において「打合せモード−躯体関連」から「打合せモード−それ以外」にモードを切り替えたときを示す図である。
【図１１】図１１は、「打合せモード−それ以外」の部品仕様情報選択入力画面を示す図である。
【図１２】図１２は、図１１において部品の属性情報の選択が確定した後の部品カテゴリ選択画面及び部品選択画面を示す図である。
【図１３】図１３は、図１２において「打合せモード−躯体関連」から「担当者モード」にモードを切り替えたときを示す図である。
【図１４】図１４は、「担当者モード」の部品仕様情報選択入力画面を示す図である。
【図１５】図１５は、部位カテゴリ（中分類）の打合せの進捗状況が分かるステータス一覧画面を示す図である。
【図１６】図１６は、「打合せモード−躯体関連」の選択部品一覧照会画面を示す図である。
【図１７】図１７は、表計算ソフトウェアで構造チェックシートを読み込ませたときを示す図である。
【図１８】図１８は、部品カテゴリが仕上材となっている部品仕様情報選択入力画面を示す図である。
【図１９】図１９は、内装の仕上材を配置する部屋を選択するための仕上材配置部屋選択画面を示す図である。
【図２０】図２０は、仕上材を顧客の建物図面に配置するための仕上材（言い換えると、部品）建物図面配置画面を示す図である。
【図２１】図２１は、建物の標準仕様プランを選択するための建物標準仕様プラン選択画面を示す図である。
【図２２】図２２は、建物標準仕様プラン情報コピー部位カテゴリ(中分類)選択画面を示す図である。
【図２３】図２３は、建物標準仕様プラン情報メンテナンス画面において、担当者仕様の標準仕様プランを新規作成するときを示す図である。
【図２４】図２４は、図２３の建物標準仕様プラン情報メンテナンス画面において、登録済のディーラ仕様の標準仕様プランが表示されているときを示す図である。
【図２５】図２５は、図２３の建物標準仕様プラン情報メンテナンス画面において、担当者仕様の標準仕様プランをディーラ仕様の標準仕様プランに変更するときを示す図である。
【発明を実施するための形態】
【００４１】
以下に本発明を実施するための形態を図面に基づいて説明する。図１は、本発明の一実施形態に係る建物仕様確定支援システムのシステム構成図である。この図１に示すように、本実施形態に係る建物仕様確定支援システムは、建物の仕様を確定するために必要なデータを管理するサーバ１と、このサーバ１にネットワーク２を介して接続された端末装置３と、を含んで構成されており、建物である住宅に適用したものとなっている。
【００４２】
サーバ１には、建物の仕様を確定するために必要なデータベースを構成するトランザクションデータやマスタデータが備えられている。トランザクションデータは、顧客情報テーブル１０と、建物仕様情報テーブル１１と、建物部位カテゴリ進捗状況情報テーブル１２と、建物部品カテゴリ進捗状況情報テーブル１３と、を含んで構成されている。また、マスタデータは、部品カテゴリ情報マスタ２０と、部品情報マスタ２１と、部品属性情報マスタ２２と、を含んで構成されている。
【００４３】
顧客情報テーブル１０は、顧客（言い換えると、お客様）の基本情報を記憶するためのテーブルとなっており、この顧客情報テーブルのデータ項目には、顧客ＩＤ、プランＩＤ、契約Ｎｏ、氏名、建設地、契約日、着工予定日、引渡し予定日、部材発注予定日、部材入荷予定日、販売区分、商品区分、版ＩＤ、商品記号、坪面積、階数等があり、顧客ＩＤが顧客の識別情報となっており、プランＩＤが顧客の建物の識別情報となっている。
【００４４】
このため、顧客情報テーブル１０は、顧客の基本情報を、顧客ＩＤとプランＩＤとに関連付けて記憶する顧客情報記憶手段となっている。
【００４５】
建物仕様情報テーブル１１は、顧客の建物の仕様情報、すなわち、顧客の建物を構成する部品の仕様情報を記憶するためのテーブルであり、この建物仕様情報テーブル１１のデータ項目には、顧客ＩＤ、プランＩＤ、部品カテゴリＩＤ、パターンＩＤ、部品ＩＤ、確定品番（仕様が確定した部品の商品番号（言い換えると、型番））、確定部品名称（仕様が確定した部品の名称）、確定部品単価（仕様が確定した部品の単価）、確定数量（仕様が確定した部品の発注数量）、代表部品画像（この画像が格納されているサーバ１のファイルパス）、属性種別の名称である属性種別名称（例えば、仕様が確定した部品の種類、幅、高さ、奥行き、材質、色等）、属性値の名称である属性値名称（仕様が確定した部品の属性種別に対する値の名称）、属性値を画像で表した属性画像（この画像が格納されているサーバ１のファイルパス）、メーカーＩＤ、メーカー名称、確定保留区分、仕上場所区分、ユーザＩＤ等がある。
【００４６】
ここで、部品カテゴリＩＤは、建物を構成する部品のカテゴリの識別情報であり、パターンＩＤは、建物における部品が配置される場所のパターンの識別情報であり、部品ＩＤは、建物を構成する部品の識別情報であり、メーカーＩＤは、部品のメーカーの識別情報である。このため、建物仕様情報テーブル１１は、顧客の建物を構成する部品の仕様情報（数量や属性情報等の情報）を、プランＩＤと、部品ＩＤとに、関連付けて記憶する建物仕様情報記憶手段となっている。
【００４７】
なお、「確定保留区分」とは、この建物仕様情報テーブル１１に登録されている仕様情報が、確定されたものであるか、あるいは、確定が保留されているものであるかどうかを判定するための区分であり、本実施形態では、「確定保留区分」には、１（確定）、２（保留）等がある。
【００４８】
また、「仕上場所区分」とは、この建物仕様情報テーブル１１に登録されている部品のカテゴリが、内装の仕上に関連するカテゴリであるか否かを判定するための区分であり、本実施形態では、０（ゼロ）（仕上カテゴリ以外）、１（床仕上のカテゴリ）、２（壁仕上のカテゴリ）、３（天井仕上のカテゴリ）等がある。
【００４９】
建物部品カテゴリ進捗状況情報テーブル１３は、顧客の建物の仕様情報の確定状況情報、すなわち、顧客との建物の仕様の打合せの進捗状況情報を記憶するためのテーブルである。
【００５０】
この建物部品カテゴリ進捗状況情報テーブル１３のデータ項目には、顧客ＩＤ、プランＩＤ、部品カテゴリＩＤ、進捗状況区分等があり、部品カテゴリＩＤは、顧客の建物を構成する部品のカテゴリである部品カテゴリの識別情報となっている。
【００５１】
このため、建物部品カテゴリ進捗状況情報テーブル１３は、顧客の建物を構成する部品の仕様情報（数量や属性情報等の情報）の打合せの進捗状況情報を、この部品が属するカテゴリである部品カテゴリ単位でまとめた（集約した）ものを記憶するためのテーブルとなっている。
【００５２】
なお、本実施形態では、「進捗状況区分」には、０（ゼロ）（打合せ未着手）、１（打合せ中）、２（打合せ済（躯体関連））、３（打合せ済（顧客側））、４（打合せ済（担当者側））等がある。
【００５３】
ここで、「進捗状況区分」の値である４（打合せ済（担当者側））は、それぞれの部品カテゴリに属する全ての部品について、顧客側及び担当者側で確定すべき仕様情報（数量や属性情報等の情報）が確定している、すなわち、担当者側で確定すべき仕様情報を含む全ての仕様情報が確定していることを意味する。
【００５４】
これに対して、「進捗状況区分」の値である３（打合せ済（顧客側））は、それぞれの部品カテゴリに属する全ての部品について、顧客側で確定すべき仕様情報は確定しているが、担当者側で確定すべき仕様情報の確定が全く行われていないことを意味する。
【００５５】
また、「進捗状況区分」の値である２（打合せ済（躯体関連））は、それぞれの部品カテゴリに属する全ての部品について、顧客側で確定すべき仕様情報のうち、顧客の建物の躯体に関連する全ての部品の仕様情報のうちの早期に確定すべき仕様情報について確定しているが、それ以外の仕様情報の確定が全く行われておらず、また、それぞれの部品カテゴリに属する部品の中で、担当者側で確定すべき仕様情報の確定が全く行われていないことを意味する。
【００５６】
また、「進捗状況区分」の値である１（打合せ中）は、それぞれの部品カテゴリに属する部品の中で、顧客側で確定すべき仕様情報がまだ確定していない部品が存在することを意味する。
【００５７】
さらに、「進捗状況区分」の値である０（ゼロ）（打合せ未着手、言い換えると部品未選択）は、この「進捗状況区分」の初期値であり、それぞれの部品カテゴリに属する全部の部品について、打合せが何も行われていないことを意味する。
【００５８】
このように、建物部品カテゴリ進捗状況情報テーブル１３は、部品カテゴリ単位、言い換えると、部品カテゴリ別の進捗状況区分等を、顧客ＩＤ、プランＩＤと、部品カテゴリＩＤと、に関連付けて記憶する建物部品カテゴリ進捗状況情報記憶手段となっている。
【００５９】
建物部位カテゴリ進捗状況情報テーブル１２は、上述した建物部品カテゴリ進捗状況情報テーブル１３と同様に、顧客の建物の仕様情報の確定状況情報、すなわち、顧客との建物の仕様の打合せの進捗状況情報を記憶するためのテーブルである。
【００６０】
この建物部位カテゴリ進捗状況情報テーブル１２のデータ項目には、顧客ＩＤ、プランＩＤ、部位カテゴリＩＤ、進捗状況区分、表示設定区分等があり、部位カテゴリＩＤは、顧客の建物を構成する部位のカテゴリである部位カテゴリの識別情報となっている。
【００６１】
ここで、部位カテゴリとは、部品カテゴリの上位カテゴリであり、この部位カテゴリには、上位の部位カテゴリである部位カテゴリ（大分類）と、下位の部位カテゴリである部位カテゴリ（中分類）とがある。本実施形態では、建物部位カテゴリ進捗状況情報テーブル１２のデータ項目である部位カテゴリＩＤは、部位カテゴリ（中分類）となっている。
【００６２】
このため、建物部位カテゴリ進捗状況情報テーブル１２は、顧客の建物を構成する部品の仕様情報（数量や属性情報等の情報）の打合せの進捗状況情報を、この部品が属するカテゴリである部品カテゴリ単位でまとめた（集約した）ものを、さらに、この部品カテゴリの上位のカテゴリである部位カテゴリ（中分類）単位でまとめた（集約した）ものを記憶するためのテーブルとなっている。
【００６３】
上述したように、この建物部位カテゴリ進捗状況情報テーブル１２にも、建物部品カテゴリ進捗状況情報テーブル１３と同様に、データ項目に「進捗状況区分」があり、この「進捗状況区分」には、０（ゼロ）（打合せ未着手）、１（打合せ中）、２（打合せ済（躯体関連））、３（打合せ済（顧客側））、４（打合せ済（担当者側））等がある。
【００６４】
この建物部位カテゴリ進捗状況情報テーブル１２の「進捗状況区分」は、建物部品カテゴリ進捗状況情報テーブル１３の「進捗状況区分」を部位カテゴリ（中分類）単位でまとめた（集約した）ものとなっている。
【００６５】
すなわち、「進捗状況区分」の値である４（打合せ済（担当者側））は、それぞれの部位カテゴリ（中分類）に属する全ての部品カテゴリに属する全ての部品について、顧客側及び担当者側で確定すべき仕様情報（数量や属性情報等の情報）が確定している、すなわち、担当者側で確定すべき仕様情報を含む全ての仕様情報が確定していることを意味する。
【００６６】
これに対して、「進捗状況区分」の値である３（打合せ済（顧客側））は、それぞれの部位カテゴリ（中分類）に属する全ての部品カテゴリに属する全ての部品について、顧客側で確定すべき仕様情報は確定しているが、担当者側で確定すべき仕様情報の確定が全く行われていないことを意味する。
【００６７】
また、「進捗状況区分」の値である２（打合せ済（躯体））は、それぞれの部位カテゴリ（中分類）に属する部品カテゴリに属する全ての部品について、顧客側で確定すべき仕様情報のうち、顧客の建物の躯体に関連する全ての部品の仕様情報のうちの早期に確定すべき仕様情報について確定しているが、それ以外の仕様情報の確定が全く行われておらず、また、それぞれの部位カテゴリ（中分類）に属する部品カテゴリに属する部品の中で、担当者側で確定すべき仕様情報の確定が全く行われていないことを意味する。
【００６８】
また、「進捗状況区分」の値である１（打合せ中）は、それぞれの部位カテゴリに属する部品カテゴリに属する部品の中で、顧客側で確定すべき仕様情報がまだ確定していない部品が存在することを意味する。
【００６９】
さらに、「進捗状況区分」の値である０（ゼロ）（打合せ未着手、言い換えると部品未選択）は、この「進捗状況区分」の初期値であり、それぞれの部位カテゴリに属する部品カテゴリに属する全部の部品について、打合せが何も行われていないことを意味する。
【００７０】
なお、「表示設定区分」は、後述する建物仕様情報選択入力画面を構成する画面であって、顧客の建物を構成する部位のカテゴリである部位カテゴリ（中分類）の一覧を表示するとともにこの一覧から仕様情報を選択入力する部品のカテゴリである部品カテゴリが属する部位カテゴリ（中分類）を選択させるための図５に示す部位カテゴリ（中分類）選択画面６７において参照される区分である。この「表示設定区分」についての詳細な説明は後述する。
【００７１】
このように、建物部位カテゴリ進捗状況情報テーブル１２は、部位カテゴリ（中分類）単位、言い換えると、部位カテゴリ（中分類）別の進捗状況区分、表示設定区分等を、顧客ＩＤ、プランＩＤと、部位カテゴリ（大分類）と、部位カテゴリ（中分類）と、に関連付けて記憶する建物部位カテゴリ進捗状況情報記憶手段となっている。
【００７２】
本実施形態では、顧客の建物を構成する部品の仕様情報を顧客の建物の識別情報（プランＩＤ）と関連付けて記憶する建物仕様情報記憶手段は、顧客情報テーブル１０と、建物仕様情報テーブル１１と、建物部位カテゴリ進捗状況情報テーブル１２と、建物部品カテゴリ進捗状況情報テーブル１３と、を含んで構成されるものとなっている。
【００７３】
部品カテゴリ情報マスタ２０は、建物を構成する部品のカテゴリ情報を記憶するためのマスタであり、この部品カテゴリ情報マスタ２０のデータ項目には、部品カテゴリＩＤ、部品カテゴリ名称、部品カテゴリ階層、部位カテゴリ（大分類）ＩＤ、部位カテゴリ（中分類）ＩＤ、第１階層部品カテゴリＩＤ、第２階層部品カテゴリＩＤ、第３階層部品カテゴリＩＤ、第４階層部品カテゴリＩＤ、第５階層部品カテゴリＩＤ、第６階層部品カテゴリＩＤ、表示順、必須選択フラグ、複数選択フラグ、仕上区分、表示設定区分等がある。
【００７４】
この部品カテゴリ情報マスタ２０には、部品カテゴリの情報だけでなく、この部位カテゴリの上位のカテゴリである部位カテゴリ（大分類）及び部位カテゴリ（中分類）の情報も記憶されるものとなっている。すなわち、部品カテゴリ情報マスタ２０は、部品カテゴリの情報レコードと、部位カテゴリ（大分類）の情報レコードと、部位カテゴリ（中分類）の情報レコードと、を記憶するためのマスタとなっており、部位カテゴリ情報マスタを兼ねたものとなっている。
【００７５】
「部品カテゴリＩＤ」は、部品カテゴリ、部位カテゴリ（大分類）、部位カテゴリ（中分類）の識別情報であり、これと同様に、「部品カテゴリ名称」は、部品カテゴリ、部位カテゴリ（大分類）、部位カテゴリ（中分類）の名称である。
【００７６】
「部品カテゴリ階層」は、当該レコードが、部品カテゴリの情報レコードか、部位カテゴリ（大分類）の情報レコードか、部位カテゴリ（中分類）の情報レコードか、を識別するための情報であるとともに、当該レコードが部品カテゴリの情報レコードである場合には、このレコードの部品カテゴリが属する階層を識別するための情報である。
【００７７】
「部品カテゴリ階層」が「１」である場合には、当該レコードは、部位カテゴリ（大分類）の情報レコードであり、当該レコードの「部品カテゴリＩＤ」には、この部位カテゴリ（大分類）の識別情報である部位カテゴリ（大分類）ＩＤが設定（セット）されている。「部品カテゴリ階層」が「２」である場合には、当該レコードは、部位カテゴリ（中分類）の情報レコードであり、当該レコードの「部品カテゴリＩＤ」には、この部位カテゴリ（中分類）の識別情報である部位カテゴリ（中分類）ＩＤが設定（セット）されている。「部品カテゴリ階層」が「３」以上である場合には、当該レコードは、部品カテゴリの情報レコードであり、当該レコードの「部品カテゴリＩＤ」には、この部品カテゴリの識別情報である部品カテゴリＩＤが設定（セット）されている。
【００７８】
「部位カテゴリ（大分類）ＩＤ」には、当該レコードが部位カテゴリ（大分類）の情報レコードである場合には、この部位カテゴリ（大分類）の識別情報である部位カテゴリ（大分類）ＩＤが設定されており、当該レコードが部位カテゴリ（中分類）の情報レコードである場合には、この部位カテゴリ（中分類）が属する上位の部位カテゴリの識別情報である部位カテゴリ（大分類）ＩＤが設定されており、当該レコードが部品カテゴリの情報レコードである場合には、この部品カテゴリが属する最上位の部位カテゴリの識別情報である部位カテゴリ（大分類）ＩＤが設定されている。
【００７９】
「部位カテゴリ（中分類）ＩＤ」には、当該レコードが部位カテゴリ（大分類）の情報レコードである場合には、ＮＵＬＬが設定されており（何も設定されておらず）、当該レコードが部位カテゴリ（中分類）の情報レコードである場合には、この部位カテゴリ（中分類）の識別情報である部位カテゴリ（中分類）ＩＤが設定されており、当該レコードが部品カテゴリの情報レコードである場合には、この部品カテゴリが属する上位の部位カテゴリの識別情報である部位カテゴリ（中分類）ＩＤが設定されている。
【００８０】
「第１階層部品カテゴリＩＤ」〜「第６階層部品カテゴリＩＤ」には、当該レコードが部品カテゴリのレコードであって、この部品カテゴリが２階層以下の部品カテゴリである場合において、当該レコードの部品カテゴリよりも上位の部品カテゴリの識別情報である部品カテゴリＩＤがそれぞれ設定されている。例えば、当該レコードの部品カテゴリが３階層目の部品カテゴリとなっている場合には、第２階層部品カテゴリＩＤには、当該レコードの部品カテゴリよりも１階層上の部品カテゴリの識別情報である部位カテゴリＩＤが設定されており、第１階層部品カテゴリＩＤには、当該レコードの部品カテゴリよりも２階層上の部品カテゴリの識別情報である部位カテゴリＩＤが設定されている。
【００８１】
「表示順」は、当該レコードが部品カテゴリのレコードである場合において、同一階層に複数の部品カテゴリが存在した場合に、この同一階層内での表示順を設定するための情報である。
【００８２】
「必須選択フラグ」は、当該レコードが部品カテゴリのレコードである場合において、この部品カテゴリに対する部品の選択が必須か任意かを設定するための情報である。
【００８３】
「複数選択フラグ」は、当該レコードが部品カテゴリのレコードである場合において、この部品カテゴリに対する複数の部品の選択の可否を設定するための情報である。
【００８４】
「仕上区分」は、当該レコードが部品カテゴリのレコードであって、この部品カテゴリが、内装の仕上に関連するカテゴリであるか否かを識別するための情報であり、本実施形態では、０（仕上カテゴリ以外）、１（床仕上のカテゴリ）、２（壁仕上のカテゴリ）、３（天井仕上のカテゴリ）等がある。
【００８５】
「表示設定区分」は、後述する建物仕様情報選択入力画面を構成する画面において、当該レコードの部位カテゴリ（大分類）、部位カテゴリ（中分類）、部品カテゴリを、顧客に見せるか否かの設定をするための区分である。この「表示設定区分」についての詳細な説明は後述する。
【００８６】
このように、部品カテゴリ情報マスタ２０は、部品カテゴリ名称（部位カテゴリ（大分類）名称、部位カテゴリ（中分類）名称を含む）、部品カテゴリ階層、表示順、必須選択フラグ、複数選択フラグ、仕上区分、表示設定区分等を、部位カテゴリ（大分類）ＩＤと、部位カテゴリ（中分類）ＩＤと、部品カテゴリＩＤと、に関連付けて記憶する部品カテゴリ情報記憶手段となっている。
【００８７】
部品情報マスタ２１は、建物を構成する部品（言い換えると、建物を構成する部品のカテゴリである部品カテゴリに対して選択可能（適用可能）な実際の商品）の情報を記憶するためのマスタであり、この部品情報マスタ２１のデータ項目には、部品ＩＤ、部品カテゴリＩＤ、部品名称、部品画像（この画像が格納されているサーバ１のファイルパス）、部品単価、表示設定区分、メーカーＩＤ等があり、部品ＩＤは部品の識別情報となっており、メーカーＩＤは部品のメーカーの識別情報となっている。なお、「表示設定区分」とは、部品カテゴリ情報マスタ２０のデータ項目である「表示設定区分」と同様に、後述する建物仕様情報選択入力画面を構成する画面において、この部品情報マスタ２１の部品名称等の情報を、顧客に見せるか否かの設定をするための区分である。
【００８８】
このため、部品情報マスタ２１は、部品名称、部品画像、部品単価、表示設定区分、メーカーＩＤ等を、部品ＩＤと、部品カテゴリＩＤと、に関連付けて記憶する部品情報記憶手段となっている。
【００８９】
部品属性情報マスタ２２は、建物を構成する部品（言い換えると、建物を構成する部品のカテゴリである部品カテゴリに対して選択可能（適用可能）な実際の商品）に対して設定可能な仕様情報である属性情報を記憶するためのマスタであり、この部品属性情報マスタ２２のデータ項目には、部品ＩＤ、部品カテゴリＩＤ、部品の属性種別の名称である属性種別名称、この属性種別に対して選択可能な属性値の名称である属性値名称、この属性値を画像で表した属性画像（この画像が格納されているサーバ１のファイルパス）、表示設定区分等がある。なお、「表示設定区分」とは、部品カテゴリ情報マスタ２０や部品情報マスタ２１の「表示設定区分」と同様に、後述する建物仕様情報選択入力画面を構成する画面において、この部品属性情報マスタ２２の属性種別名称、属性値名称、属性画像等の情報を、顧客に見せるか否かの設定をするための区分である。
【００９０】
このため、部品属性情報マスタ２２は、属性種別名称、属性値名称、属性画像、表示設定区分等を、部品ＩＤ、部品カテゴリＩＤに関連付けて記憶する部品属性情報記憶手段となっている。
【００９１】
なお、本実施形態では、部品情報マスタ２１、部品属性情報マスタ２２の各情報は、本システムの担当者により入力されるのではなく、部品メーカー各社が保有するマスタ情報を取り込むことにより得られるものである。すなわち、部品メーカー各社のシステムのマスタ情報をＣＳＶ形式のテキストファイルで受け取り、このＣＳＶファイルを本システムで取り込めるようにレイアウト変換を実行した後、このレイアウト変換後のＣＳＶファイルを本システムの部品情報マスタ２１、部品属性情報マスタ２２に取り込む処理が実行される。
【００９２】
端末装置３は、キーボード、マウス等の入力手段と、ディスプレイ（タッチパネル式のものを含む）、プリンター等の出力手段と、を備えているデスクトップパソコンやノートパソコン、あるいは、タブレットパソコン等であり、これらの端末装置３は、サーバ１から送信されてくる顧客の建物の仕様情報を選択入力させるための建物仕様情報選択入力画面、その他の画面の表示用データを受信し、これらの画面の表示用データは、端末装置３に備えられているＷｅｂブラウザ等のソフトウェアを介してディスプレイに出力されるものとなっている。また、サーバ１で作成され、このサーバ１から送信されてくる顧客の建物の仕様情報等が記載された各種帳票は、プリンターに出力されるものとなっている。
【００９３】
建物仕様情報選択入力画面は、顧客の建物を構成する部位カテゴリ（大分類）の一覧を表示するとともにこの一覧から、仕様情報を選択入力する顧客の建物を構成する部品のカテゴリである部品カテゴリが属する最上位のカテゴリである部位カテゴリ（大分類）を選択させるための部位カテゴリ（大分類）選択画面６１（図２参照）と、この部位カテゴリ（大分類）選択画面６１で選択された部位カテゴリ（大分類）に属する下位の部位カテゴリである部位カテゴリ（中分類）の一覧を表示するとともにこの一覧から、仕様情報の選択入力をする顧客の建物を構成する部品のカテゴリである部品カテゴリが属する上位のカテゴリである部位カテゴリ（中分類）を選択させるための部位カテゴリ（中分類）選択画面６７（図３参照）と、この部位カテゴリ（中分類）選択画面で選択された部位カテゴリ（中分類）に属する部品カテゴリの一覧を表示するとともにこの一覧から仕様情報を選択入力する顧客の建物を構成する部品が属する部品カテゴリを選択させるための部品カテゴリ選択画面７２（図７参照）と、この部品カテゴリ選択画面７２で選択された部品カテゴリに属する部品の一覧を表示するとともにこの一覧から仕様情報を選択入力する顧客の建物を構成する部品を選択させるための部品選択画面８０（図７参照）と、この部品選択画面８０で選択された顧客の建物を構成する部品の仕様情報を選択入力させるための部品仕様情報選択入力画面８５と、を含んで構成されている。
【００９４】
本実施形態では、顧客の建物を構成する部位カテゴリの一覧を表示するとともにこの一覧から、仕様情報を選択入力する顧客の建物を構成する部品のカテゴリである部品カテゴリが属する部位カテゴリを選択させるための部位カテゴリ選択画面６０（図３参照）は、部位カテゴリ（大分類）選択画面６１と、部位カテゴリ（中分類）選択画面６７と、で構成されている。
【００９５】
なお、これらの部位カテゴリ（大分類）選択画面６１、部位カテゴリ（中分類）選択画面６７、部品カテゴリ選択画面７２、部品仕様情報選択入力画面８５についての詳細な説明は後述する。
【００９６】
なお、上述した建物仕様情報選択入力画面、その他の画面の表示用データは、サーバ１の処理手段３０（図１参照）により生成されるものである。また、上述した建物仕様情報選択入力画面、その他の画面における画面制御処理は、サーバ１の処理手段３０により実行されるものである。
【００９７】
図１に示すように、サーバ１は、顧客の建物の仕様を確定するために必要な処理を実行する処理手段３０を備えており、この処理手段３０は、建物仕様情報選択入力受付処理手段３１と、選択部品一覧照会処理手段４６と、建物仕様情報抽出処理手段４９と、建物仕様情報登録処理手段５０と、構造チェックシート出力処理手段５１と、構造チェックシートダウンロード処理手段５２と、を含んで構成されるものとなっている。なお、サーバ１の処理手段３０は、サーバ１の記憶装置に記憶されたソフトウェアで構成されるものである。
【００９８】
建物仕様情報選択入力受付処理手段３１は、図１に示すこの処理手段３１の枠内の各処理手段３２〜４５を含んで構成されるものであり、建物仕様情報選択入力画面を構成する各画面の表示用データを端末装置３へ送信するとともに、建物仕様情報選択入力画面を構成する各画面で選択入力されて端末装置３からネットワーク２を介して送信されてくる顧客の建物を構成する部品の仕様情報を含む各種情報を受信する処理を実行する構成となっている。
【００９９】
建物仕様情報選択入力受付処理手段３１は、部位カテゴリ（大分類）選択受付処理手段３２と、部位カテゴリ（中分類）選択受付処理手段３３と、部品カテゴリ選択受付処理手段３４と、部品選択受付処理手段３５と、部品仕様情報選択入力受付処理手段３６と、
を含んで構成されるものとなっている。
【０１００】
部位カテゴリ（大分類）選択受付処理手段３２は、図２に示す部位カテゴリ（大分類）選択画面６１の表示用データを端末装置３へ送信するとともに、部位カテゴリ（大分類）選択画面６１で選択されて端末装置３からネットワーク２を介して送信されてくる部位カテゴリ（大分類）の識別情報を受信する処理を実行する構成となっている。なお、部位カテゴリ（大分類）選択画面６１の表示用データは、処理手段３０を構成する図示しない部位カテゴリ（大分類）情報抽出処理手段が、部品カテゴリ情報マスタ２０のレコードうち、部位カテゴリ（大分類）のレコード、すなわち、部品カテゴリ情報マスタ２０のデータ項目「部品カテゴリ階層」の値が「１」のレコードを抽出して作成する。
【０１０１】
部位カテゴリ（中分類）選択受付処理手段３３は、図３に示す部位カテゴリ（中分類）選択画面６７の表示用データを端末装置３へ送信するとともに、部位カテゴリ（中分類）選択画面６７で選択されて端末装置３からネットワーク２を介して送信されてくる部位カテゴリ（中分類）の識別情報を受信する処理を実行する構成となっている。なお、部位カテゴリ（中分類）選択画面６７の表示用データは、処理手段３０を構成する図示しない部位カテゴリ（中分類）情報抽出処理手段が、部品カテゴリ情報マスタ２０のレコードうち、部位カテゴリ（中分類）のレコード、すなわち、部品カテゴリ情報マスタ２０のデータ項目「部品カテゴリ階層」の値が「２」であって、部品カテゴリ情報マスタ２０の「部位カテゴリ（大分類）ＩＤ」の値が部位カテゴリ（大分類）選択画面６１で選択された部位カテゴリ（大分類）の識別情報（部位カテゴリ（大分類）ＩＤ）の値と一致するレコードを抽出して作成する。
【０１０２】
部品カテゴリ選択受付処理手段３４は、図７に示す部品カテゴリ選択画面７２の表示用データを端末装置３へ送信するとともに、部品カテゴリ選択画面７２で選択されて端末装置３からネットワーク２を介して送信されてくる部品カテゴリの識別情報（部品カテゴリＩＤ）を受信する処理を実行する構成となっている。なお、部品カテゴリ選択画面７２の表示用データは、処理手段３０を構成する図示しない部品カテゴリ情報抽出処理手段が、部品カテゴリ情報マスタ２０のレコードうち、部品カテゴリのレコード、すなわち、部品カテゴリ情報マスタ２０のデータ項目「部品カテゴリ階層」の値が「３」以上であって、部品カテゴリ情報マスタ２０の「部位カテゴリ（中分類）ＩＤ」の値が部位カテゴリ（中分類）選択画面６７で選択された部位カテゴリ（中分類）の識別情報（部位カテゴリ（中分類）ＩＤ）の値と一致するレコードを抽出して作成する。
【０１０３】
部品選択受付処理手段３５は、図７に示す部品選択画面８０の表示用データを端末装置３に送信するとともに、部品選択画面８０で選択されて端末装置３からネットワーク２を介して送信されてくる部品の識別情報（部品ＩＤ）を受信する処理を実行する構成となっている。
【０１０４】
なお、部品選択画面８０の表示用データは、部品選択受付処理手段３５を構成する部品情報抽出処理手段４２により作成される。すなわち、この部品情報抽出処理手段４２は、部品カテゴリ選択受付処理手段３４により受け付けた部品カテゴリに対して選択可能な部品を、受信された部品カテゴリの識別情報（部品カテゴリＩＤ）をキーとして、部品情報マスタ２１から抽出する処理を実行する構成となっている。すなわち、部品情報抽出処理手段４２は、部品情報マスタ２１のレコードのうち、部品カテゴリＩＤが部品カテゴリ選択受付処理手段３４により受け付けた部品カテゴリＩＤと一致するレコードを抽出する処理を実行する構成となっている。
【０１０５】
部品仕様情報選択入力受付処理手段３６は、図８に示す部品仕様情報選択入力画面８５の表示用データを端末装置３に送信するとともに、部品仕様情報選択入力画面８５で選択入力されて端末装置３からネットワーク２を介して送信されてくる部品の仕様情報を受信する処理を実行する構成となっている。
【０１０６】
なお、部品仕様情報選択入力画面８５の表示用データは、部品仕様情報選択入力受付処理手段を構成する部品属性情報抽出処理手段４４により作成される。すなわち、この部品属性情報抽出処理手段４４は、部品選択受付処理手段３５により受け付けた部品に対して選択入力可能な属性情報を、受信された部品の識別情報（部品ＩＤ）をキーとして、部品属性情報マスタ２２から抽出する処理を実行する構成となっている。すなわち、部品属性情報抽出処理手段４４は、部品属性情報マスタ２２のレコードのうち、部品ＩＤが部品選択受付処理手段３５により受け付けた部品ＩＤと一致するレコードを抽出する処理を実行する構成となっている。
【０１０７】
選択部品一覧照会処理手段４６は、部品仕様情報選択入力画面８５において仕様情報の選択入力が確定した部品（確定を保留した部品を含む）についての仕様情報の一覧を表示するものとなっており、図１６に示す選択部品一覧照会画面１００の表示用データを端末装置３へ送信する処理を実行する構成となっている。なお、端末装置３では、サーバ１から送信された選択部品一覧照会画面１００の表示用データを受信し、この受信した選択部品一覧照会画面１００の表示用データが、端末装置３のディスプレイに出力される。なお、選択部品一覧照会画面１００の表示用データは、処理手段３０を構成する図示しない選択部品情報抽出処理手段が、現在処理対象となっている顧客の建物仕様情報テーブル１１のレコードのうち、この建物仕様情報テーブル１１のデータ項目「確定保留区分」の値が「１」（確定）又は「２」（保留）レコードを抽出（検索）して作成する。
【０１０８】
建物仕様情報抽出処理手段４９は、現在処理対象となっている顧客の登録済の建物仕様情報を、建物仕様情報テーブル１１から抽出する処理を実行する構成となっている。すなわち、建物仕様情報抽出処理手段４９は、建物仕様情報テーブル１１のレコードのうち、顧客ＩＤが現在処理対象となっている顧客の顧客ＩＤと一致し、かつ、プランＩＤが現在処理対象となっている顧客の建物のプランＩＤと一致するレコードを抽出する処理を実行する構成となっている。
【０１０９】
建物仕様情報登録処理手段５０は、建物仕様情報選択入力受付処理手段３１により受け付けた顧客の建物の仕様情報を、プランＩＤと関連付けて建物仕様情報テーブル１１に記憶させる処理を実行する構成となっている。
【０１１０】
すなわち、建物仕様情報登録処理手段５０は、具体的には、部品仕様情報選択入力受付処理手段３６により受け付けた顧客の建物を構成する部品の仕様情報を、顧客ＩＤと、プランＩＤと、部品カテゴリＩＤと、部品ＩＤと、に関連付けて建物仕様情報テーブル１１に記憶させる処理を実行する構成となっている。
【０１１１】
本実施形態では、建物仕様情報選択入力画面を構成する部位カテゴリ（大分類）選択画面６１と、部位カテゴリ（中分類）選択画面６７と、部位カテゴリ選択画面７２と、部品選択画面８０と、部品仕様情報選択入力画面８５には、詳細な説明を後述する３つのモード画面がある。このため、これらのモード画面を切り替えるための画面モード切替処理手段が、部位カテゴリ（大分類）選択受付処理手段３２と、部位カテゴリ（中分類）選択受付処理手段３３と、部品カテゴリ選択受付処理手段３４と、部品選択受付処理手段３５と、部品仕様情報選択入力受付処理手段３６とに、それぞれ備えられている。
【０１１２】
これらの画面モード切替処理手段３７，３９，４１，４３，４５は、端末装置３へ送信する３つのモード画面の表示用データを端末装置３からの要求データ（本実施形態では、画面表示区分）に応じて切り替える処理を実行する構成となっている。
【０１１３】
また、選択部品一覧照会画面１００にも、上述した３つのモード画面があるため、これらのモード画面を切り替えるための画面モード切替処理手段４８が、選択部品一覧照会処理手段４６に備えられている。
【０１１４】
また、部位カテゴリ（中分類）選択受付処理手段３３には、部位カテゴリ（中分類）選択画面６７に表示されているそれぞれの部位カテゴリ（中分類）カード６８について、建物部位カテゴリ進捗状況情報テーブル１２を参照し、それぞれの部位カテゴリ（中分類）に属する部位カテゴリに対して選択された部品の仕様情報の選択入力の進捗状況（仕様確定状況）に応じた色分け表示処理を実行する部位カテゴリ（中分類）色分け表示処理手段３８が備えられている。
【０１１５】
また、部品カテゴリ選択受付処理手段３４には、建物部品カテゴリ進捗状況情報テーブル１３を参照し、部品カテゴリ選択画面７２に表示されているそれぞれの部品カテゴリカード７３について、それぞれの部品カテゴリに対して選択された部品の仕様情報の選択入力の進捗状況（仕様確定状況）に応じた色分け表示処理を実行する部品カテゴリ色分け表示処理手段４０が備えられている。
【０１１６】
さらに、選択部品一覧照会処理手段４６には、選択部品一覧照会画面１００で一覧表示されるそれぞれの部位カテゴリに属する部品カテゴリに対して選択された部品の仕様情報である属性情報が表示されている属性情報カード１０７について、この属性情報の選択入力の進捗状況（仕様確定状況）に応じた色分け表示処理を実行する部品属性種別色分け表示処理手段４７が備えられている。
【０１１７】
なお、図１で示されている構造チェックシート２３を出力するための構造チェックシート出力処理手段５１と、構造チェックシートダウンロード処理手段５２の詳細な説明は後述する。
【０１１８】
次に、本実施形態に係る建物仕様確定支援システムで実行される各処理を図２〜図２５に示す画面により説明する。なお、図２〜図２５に示す画面は、端末装置３のディスプレイに出力されるものであり、これらの画面の表示用データはサーバ１から端末装置３へ送信されるもの、あるいは、端末装置３に搭載されたソフトウェアにより出力されるものである。
【０１１９】
本実施形態に係る建物仕様確定支援システムの利用の開始は、端末装置３に表示される図示しないログイン画面から入力された利用者（建物の販売店であるディーラの担当者又はディーラの管理者）のユーザＩＤ及びパスワードがサーバ１に送信され、このサーバ１よるユーザＩＤ及びパスワードの認証処理を経て行われる。なお、利用者のユーザＩＤ及びパスワード等の情報は、システム管理者によってサーバ１の図示しないユーザ情報マスタに予め登録されている。
【０１２０】
サーバ１によるユーザＩＤ及びパスワードの認証がされると、端末装置３には、担当者との打合せが始まるまで間に、顧客に見せる図示されないインフォメーション画面（待受画面）が表示される。このインフォメーション画面には、例えば、これから打合せを行う顧客の建物の工事スケジュール情報（顧客情報テーブル１０の契約日、部材発注予定日、着工予定日、部材入荷予定日、引渡し予定日等）が表示されるようになっている。
【０１２１】
このインフォメーション画面が表示されているウィンドウの最上部は、図２で示されているように、画面を切り替えるための５つのタブが配置されている。これらのタブは、左から［お客様管理］タブ５５、［お打合わせトップ］タブ５６、［部品選択］タブ５７、［選択部品一覧］タブ５８、［標準仕様選択］タブ５９となっている。［お客様管理］タブ５５は、顧客（お客様）の新規登録や検索を行う管理画面に切り替えるためのタブであり、［お打合わせトップ］タブ５６は、上述したインフォメーション画面に切り替えるためのタブであり、［部品選択］タブ５７は、仕様情報を選択入力する部品を選択するための画面に切り替えるためのタブであり、［選択部品一覧］タブ５８は、仕様情報が選択入力された部品の一覧を照会するための画面のタブとなっており、［標準仕様選択］タブ５９は、モデル仕様（言い換えると、メーカー仕様）や販売エリア仕様（言い換えると、ディーラー仕様）の建物の仕様情報をコピーして顧客の建物のプランを作成するための画面に切り替えるためのタブとなっている。
【０１２２】
前述したように、本実施形態では、建物仕様情報選択入力画面を構成するこの図２で示されている部位カテゴリ（大分類）選択画面６１と、後述する図３で示されている部位カテゴリ（中分類）選択画面６７と、後述する図７で示されている部品カテゴリ選択画面７２及び部品選択画面８０と、後述する図８で示されている部品仕様情報選択入力画面８５には、３つのモード画面があり、部品仕様情報選択入力画面８５を除いて、ウィンドウの最下部には、それぞれのモード画面に切り替えるための３つのモード切替ボタンが配置されている。これらのボタンは、左から［躯体関連］ボタン６３、［それ以外］ボタン６４、「担当者モード」ボタン６５となっている。
【０１２３】
ここで、［躯体関連］ボタン６３の左側に表示されている「打合せモード」とは、従来の「顧客モード（言い換えると、お客様モード）」と同じモードのことであり、本実施形態では、従来の「顧客モード」を「躯体関連」のモードと「それ以外」（言い換えると、躯体関連以外）のモードの２つにモードに分割した形となっている。
【０１２４】
このため、以下の説明において、［躯体関連］ボタン６３は［打合せモード−躯体関連］ボタン６３といい、［それ以外］ボタン６４は［打合せモード−それ以外］ボタン６４という。
【０１２５】
このように、建物仕様情報選択入力画面には、担当者モード画面と、顧客モード画面を構成する２つモード画面の表示切り替えを行うための切替ボタン６３，６４，６５が配置されている。
【０１２６】
図２で示されている部位カテゴリ（大分類）を選択させるための部位カテゴリ（大分類）選択画面の初期モードは、［打合せモード−躯体関連］ボタン６３がハッチング表示されていることから分かるように、「打合せモード−躯体関連」となっている。
【０１２７】
図２に示されているように、部位カテゴリ（大分類）選択画面６１の「打合せモード−躯体関連」では、表示される部位カテゴリ（大分類）の「カテゴリ名称」は、「外部」と「内部」のみとなっている。
【０１２８】
前述したように、部位カテゴリ（大分類）の情報レコードも記憶されている部品カテゴリ情報マスタ２０のデータ項目には「表示設定区分」があり、この「表示設定区分」は、部位カテゴリ（大分類）選択画面６１において、部位カテゴリ（大分類）の「カテゴリ名称」が表示されている部位カテゴリ（大分類）カード６２の表示／非表示の設定を行うための区分となっている。
【０１２９】
この「表示設定区分」には、１（部位カテゴリ（大分類）カード６２を「打合せモード−躯体関連」と「打合せモード−それ以外」と「担当者モード」の３つのモード画面で見せる）、２（部位カテゴリ（大分類）カード６２を「打合せモード−それ以外」と「担当者モード」の２つのモード画面で見せる）、３（部位カテゴリ（大分類）カード６２を「担当者モード」のモード画面でのみ見せる）等がある。
【０１３０】
本実施形態では、部品カテゴリ情報マスタ２０に記憶されている部位カテゴリ（大分類）の情報レコードのうち、部位カテゴリ（大分類）が「外部」、「内部」の情報レコードの表示設定区分には「１」が設定されており、それ以外の部位カテゴリ（大分類）である「水廻り設備」、「電気・空調等」、「インテリア・エクステリア」、「詳細部品（参照用）」の情報レコードの表示設定区分には「２」が設定されている。
【０１３１】
そして、図２の部位カテゴリ（大分類）選択画面６１の「打合せモード−躯体関連」では、表示設定区分に１が設定されている部位カテゴリ（大分類）のカテゴリ名称が表示された部位カテゴリ（大分類）カード６２の一覧が表示される。
【０１３２】
ここで、部位カテゴリ（大分類）「外部」及び「内部」は、建物の躯体に関連する部位の上位のカテゴリとなっている。言い換えると、部位カテゴリ（大分類）「外部」、「内部」は、仕様を確定させる優先度が高い部品、すなわち、発注から納品までの期間が長い部品である躯体に関連する部品が属する部品カテゴリよりも上位のカテゴリである部位カテゴリ（大分類）となっている。
【０１３３】
このように、本実施形態では、表示設定区分は、仕様を確定させる優先度（優先順位）となっており、「１」が最も優先度が高い区分となっている。
【０１３４】
したがって、本実施形態では、部位カテゴリ（大分類）選択画面６１の「打合せモード−躯体関連」では、仕様を確定させる優先度が高い部品が属する部品カテゴリの最上位のカテゴリである部位カテゴリ（大分類）「外部」、「内部」を選択させるようになっている。
【０１３５】
このため、本実施形態では、「打合せモード−躯体関連」のモード画面は、仕様を確定させる優先度の高い部品の仕様情報を選択入力させるための第１モード画面となっており、「打合せモード−それ以外」のモード画面は、顧客の建物を構成する部品のうち、仕様を確定させる優先度の低い部品の仕様情報を選択入力させるための第２モード画面となっている。そして、本実施形態では、「顧客（お客様）モード画面」となっている「打合せモード画面」は、第１モード画面である「打合せモード−躯体関連」のモード画面と、第２モード画面である「打合せモード−それ以外」のモード画面とで構成されている。
【０１３６】
図３は、図２において、部位カテゴリ（大分類）「外部」を選択するために、この「外部」のカテゴリ名称が表示された部位カテゴリ（大分類）カード６２が操作されたときを示す図である。
【０１３７】
図３に示されているように、部位カテゴリ（大分類）選択画面６１の右側には、部位カテゴリ（中分類）を選択させるための部位カテゴリ（中分類）選択画面６７が表示されている。
【０１３８】
本実施形態では、部位カテゴリ（中分類）選択画面６７は、部位カテゴリ（大分類）選択画面６１で選択されて拡大された部位カテゴリ（大分類）カードの枠内に表示されるものとなっており、この部位カテゴリ（中分類）選択画面６７には、部位カテゴリ（大分類）選択画面６１で選択された部位カテゴリ（大分類）に属する部位カテゴリ（中分類）のカテゴリ名称が表示された部位カテゴリ（中分類）カード６８の一覧が表示される。
【０１３９】
図３に示されているように、部位カテゴリ（中分類）選択画面６７には、部位カテゴリ（中分類）が「屋根」、「外壁」、「玄関ドア」のカテゴリ名称が表示された部位カテゴリ（中分類）カード６８が表示されている。
【０１４０】
すなわち、部位カテゴリ（中分類）選択画面６７の「打合せモード−躯体関連」では、表示される部位カテゴリ（中分類）の「カテゴリ名称」は、「屋根」と「外壁」と「玄関ドア」のみとなっている。
【０１４１】
図３に示されているように、部位カテゴリ（中分類）選択画面６７には、部位カテゴリ（中分類）が「屋根」、「外壁」、「玄関ドア」のカテゴリ名称が表示された部位カテゴリ（中分類）カード６８が表示されている。
【０１４２】
なお、部位カテゴリ（大分類）選択画面６１において、部位カテゴリ（大分類）「内部」が選択された場合には、本実施形態では、部位カテゴリ（中分類）選択画面６７には、部位カテゴリ（大分類）「内部」に属する部位カテゴリ（中分類）「制震装置」のカテゴリ名称が表示された部位カテゴリ（中分類）カード６８のみが表示される。
【０１４３】
部位カテゴリ（中分類）の情報レコードも記憶されている部品カテゴリ情報マスタ２０のデータ項目には「表示設定区分」があり、この「表示設定区分」は、部位カテゴリ（中分類）選択画面６７において、部位カテゴリ（中分類）の「カテゴリ名称」の表示／非表示の設定を行うための区分となっている。
【０１４４】
前述したように、この「表示設定区分」には、１（カテゴリ名称を「打合せモード−躯体関連」と「打合せモード−それ以外」と「担当者モード」の３つのモード画面で見せる）、２（カテゴリ名称を「打合せモード−それ以外」と「担当者モード」の２つのモード画面で見せる）、３（「担当者モード」のモード画面でのみ見せる）等がある。
【０１４５】
本実施形態では、部品カテゴリ情報マスタ２０に記憶されている部位カテゴリ（中分類）の情報レコードのうち、部位カテゴリ（中分類）が「屋根」、「外壁」、「玄関ドア」の情報レコードの表示設定区分には「１」が設定されており、それ以外の部位カテゴリ（大分類）のうち、「タイル」、「勝手口ドア」、「外部建具基本仕様」、「外部収納」、「庇」、「バルコニー」、「外部備品」の情報レコードの表示設定区分には「２」が設定され、「★発注時よく使う部品★」の情報レコードの表示設定区分には「３」が設定されている。
【０１４６】
そして、図３の部位カテゴリ（中分類）選択画面６７の「打合せモード−躯体関連」では、表示設定区分に「１」が設定されている部位カテゴリ（中分類）のカテゴリ名称が表示された部位カテゴリ（中分類）カード６８の一覧が表示される。
【０１４７】
ここで、部位カテゴリ（中分類）「屋根」、「外壁」及び「玄関ドア」は、建物の躯体に関連する部位の下位のカテゴリとなっている。言い換えると、「屋根」、「外壁」及び「玄関ドア」は、仕様を確定させる優先度が高い部品、すなわち、発注から納品までの期間が長い部品である躯体に関連する部品が属する部品カテゴリよりも上位のカテゴリである部位カテゴリ（中分類）となっている。
【０１４８】
前述したように、本実施形態では、表示設定区分は、仕様を確定させる優先度（優先順位）となっており、「１」が最も優先度が高い区分となっている。
【０１４９】
したがって、本実施形態では、部位カテゴリ（中分類）選択画面６７の「打合せモード−躯体関連」では、仕様を確定させる優先度が高い部品が属する部品カテゴリよりも上位のカテゴリである部位カテゴリ（中分類）「屋根」、「外壁」及び「玄関ドア」を選択させるようになっている。
【０１５０】
図４は、図２において、［打合せモード−それ以外］ボタン６４を操作して、画面モードを「打合せモード−躯体関連」から「打合せモード−それ以外」に切り替えたときを示す図である。
【０１５１】
この図４で示されていように、部位カテゴリ（大分類）選択画面６１の「打合せモード−それ以外」では、表示設定区分に「１」又は「２」が設定されている部位カテゴリ（大分類）のカテゴリ名称が表示された部位カテゴリ（大分類）カード６２の一覧が表示される。
【０１５２】
すなわち、部位カテゴリ（大分類）選択画面６１の「打合せモード−それ以外」では、表示設定区分に「１」が設定されている「外部」、「内部」の部位カテゴリ（大分類）のカテゴリ名称が表示された部位カテゴリ（大分類）カード６２と、表示設定区分に「２」が設定されている「水廻り設備」、「電気・空調等」、「インテリア・エクステリア」、「詳細部品（参照用）」の部位カテゴリ（大分類）のカテゴリ名称が表示された部位カテゴリ（大分類）カード６２の一覧が表示される。
【０１５３】
図５は、図３において、［打合せモード−それ以外］ボタン６４を操作して、画面モードを「打合せモード−躯体関連」から「打合せモード−それ以外」に切り替えたときを示す図である。
【０１５４】
この図５で示されていように、部位カテゴリ（中分類）選択画面６７の「打合せモード−それ以外」では、表示設定区分に「１」又は「２」が設定されている部位カテゴリ（中分類）のカテゴリ名称が表示された部位カテゴリ（中分類）カード６８の一覧が表示される。
【０１５５】
すなわち、部位カテゴリ（中分類）選択画面６７の「打合せモード−それ以外」では、表示設定区分に「１」が設定されている「屋根」、「外壁」、「玄関ドア」の部位カテゴリ（中分類）のカテゴリ名称が表示された部位カテゴリ（中分類）カード６８と、表示設定区分に「２」が設定されている「タイル」、「勝手口ドア」、「外部建具基本仕様」、「外部収納」、「庇」、「バルコニー」、「外部備品」の部位カテゴリ（中分類）のカテゴリ名称が表示された部位カテゴリ（大分類）カード６８の一覧が表示される。
【０１５６】
図６は、図３又は図５において、［担当者モード］ボタン６５を操作して、画面モードを「打合せモード−躯体関連」又は「打合せモード−それ以外」から「担当者モード」に切り替えたときを示す図である。
【０１５７】
この図６で示されていように、部位カテゴリ（中分類）選択画面６７の「打合せモード−それ以外」では、表示設定区分に「１」又は「２」又は「３」が設定されている部位カテゴリ（中分類）のカテゴリ名称が表示された部位カテゴリ（中分類）カード６８の一覧が表示される。
【０１５８】
すなわち、部位カテゴリ（中分類）選択画面６７の「打合せモード−それ以外」では、表示設定区分に「１」が設定されている「屋根」、「外壁」、「玄関ドア」の部位カテゴリ（中分類）のカテゴリ名称が表示された部位カテゴリ（中分類）カード６８と、表示設定区分に「２」が設定されている「タイル」、「勝手口ドア」、「外部建具基本仕様」、「外部収納」、「庇」、「バルコニー」、「外部備品」の部位カテゴリ（中分類）のカテゴリ名称が表示された部位カテゴリ（大分類）カード６８と、表示設定区分に「３」が設定されている「★発注時よく使う部品★」のカテゴリ名称が表示された部位カテゴリ（中分類）カード６８の一覧が表示される。
【０１５９】
なお、本実施形態では、表示設定区分に「３」が設定されている部位カテゴリ（大分類）は存在しないため、部位カテゴリ（大分類）選択画面６１の「担当者モード」で表示される部位カテゴリ（大分類）カード６２の一覧は、図４で示されている部位カテゴリ（大分類）選択画面６１の「打合せモード−それ以外」で表示されている部位カテゴリ（大分類）カード６２の一覧と同じとなる。すなわち、図４において、［担当者モード］ボタン６５を操作して、画面モードを「打合せモード−それ以外」から「担当者モード」に切り替えても、部位カテゴリ（大分類）選択画面６１で表示されている部位カテゴリ（大分類）カード６２の一覧に変化はない。
【０１６０】
本実施形態では、部位カテゴリ（大分類）選択画面６１と、部位カテゴリ（中分類）選択画面６７とで、顧客の建物を構成する部位のカテゴリである部位カテゴリの一覧を表示するとともにこの一覧から仕様情報を選択入力する部品のカテゴリである部品カテゴリが属する部位カテゴリを選択させるための部位カテゴリ選択画面６０を構成している。
【０１６１】
なお、部位カテゴリ（大分類）選択画面６１の画面制御処理は、前述したサーバ１の部位カテゴリ（大分類）選択受付処理手段３２により実行され、部位カテゴリ（中分類）選択画面６７の画面制御処理は、前述したサーバ１の部位カテゴリ（中分類）選択受付処理手段３３により実行されるものとなっている。
【０１６２】
なお、本実施形態では、部位カテゴリ（大分類）選択画面６１と部位カテゴリ（中分類）選択画面６７は、１つのウィンドウに左右に並べて配置されて一体となっているものであるが、これらの選択画面６１，６７は、それぞれ別のウィンドウで表示されるものとしてもよい。
【０１６３】
なお、図３に示されているように、部位カテゴリ（中分類）選択画面６７で一覧表示されているそれぞれの部位カテゴリ（中分類）カード６８の右端部には、複数の引き出しが設けられているケースの形状を有する引き出しアイコン６９が配置されており、この引き出しアイコン６９を操作すると、このアイコン６９を操作した部位カテゴリ（中分類）カード６８の部位カテゴリ（中分類）に属する部品カテゴリの一覧が表示された図示されないウィンドウが表示されるようになっている。
【０１６４】
このウィンドウの表示用データは、サーバ１の部品カテゴリ情報マスタ２０のレコードのうち、データ項目「部品カテゴリ階層」の値が３以上であって、データ項目「部位カテゴリ（中分類）ＩＤ」の値が、アイコン６９を操作した部位カテゴリ（中分類）カード６８に対応する部位カテゴリ（中分類）ＩＤの値と一致するレコードのカテゴリ名称から作成される。
【０１６５】
図７は、図３において、部位カテゴリ（中分類）選択画面６７で一覧表示されている部位カテゴリ（中分類）カード６８のうち、カテゴリ名称が「屋根」の部位カテゴリ（中分類）カード６８を操作したときを示す図である。
【０１６６】
この図７で示されているウィンドウの左側部分は、図３の部位カテゴリ（中分類）選択画面６７で選択された部位カテゴリ（中分類）に属する部品カテゴリの一覧を表示するとともにこの一覧から仕様情報を選択入力する部品が属する部品カテゴリを選択させるための部品カテゴリ選択画面７２となっており、この図７で示されているウィンドウの右側部分は、上記部品カテゴリ選択画面７２で選択された部品カテゴリに属する部品の一覧を表示するとともにこの一覧から仕様情報を選択入力する部品を選択させるための部品選択画面８０となっている。
【０１６７】
ここで、図３に示す部位カテゴリ（中分類）選択画面６７で選択された部位カテゴリ（中分類）「屋根」に属する部品カテゴリには、例えば、「屋根材」、「雪止め」、「収まり部品」、「破風・鼻隠し」、「ツノ」、「軒樋」、「軒樋ＯＰ」（※ＯＰ：オプションの意味。以下同じ）、「換気用補助用品」、「トップライト」、「トップライトＯＰ」、「軒天材」等がある。
【０１６８】
サーバ１の部品カテゴリ情報マスタ２０に記憶されているこれらの部品カテゴリの情報レコードのデータ項目「表示設定区分」には、部位カテゴリ（大分類）や部位カテゴリ（中分類）の情報レコードと同様に、「１」〜「３」の表示設定区分が設定されている。
【０１６９】
本実施形態では、部品カテゴリ「屋根材」の情報レコードの表示設定区分には「１」が設定されており、部品カテゴリ「トップライト」、「トップライトＯＰ」、「軒天材」の情報レコードの表示設定区分には「２」が設定されており、部品カテゴリ「雪止め」、「収まり部品」、「破風・鼻隠し」、「ツノ」、「軒樋」、「軒樋ＯＰ」、「換気用補助用品」の情報レコードの表示設定区分には「３」が設定されている。
【０１７０】
このため、部品カテゴリ「屋根材」は、仕様を確定させる優先度が高い部品、すなわち、発注から納品までの期間が長い部品である躯体に関連する部品が属する部品カテゴリとなっている。
【０１７１】
図７で示されているように、部品カテゴリ選択画面７２の「打合せモード−躯体関連」では、表示設定区分に「１」が設定されている部品カテゴリのカテゴリ名称が表示された部品カテゴリカード７３の一覧（図７では「屋根材」の部品カテゴリカード７３のみ）が表示され、この一覧表示された部品カテゴリカード７３から、これから部品を選択する部品カテゴリのカテゴリ名称が表示された部品カテゴリカード７３を選択（マウスのクリック操作やキーボード操作、ディスプレイがタッチパネル方式のものである場合には、画面のタップ操作等）させる。
【０１７２】
一方、部品選択画面８０には、部品カテゴリ選択画面７２で選択された部品カテゴリに対して選択可能な部品の部品名称、メーカー名称、部品画像、部品単価等の情報が表示された部品情報カード８１が一覧表示される。
【０１７３】
部品選択画面８０に選択可能な部品情報カード８１が一覧表示されている部品カテゴリカード７３は、図７で示されているように、部品カテゴリ名称表示領域７４とガイドメッセージ表示領域７５の２つの領域からなる形式のものとなっており、その他の部品カテゴリカード７３は、部品カテゴリ名称表示領域７４のみからなる形式のものとなる。
【０１７４】
なお、部品カテゴリ選択画面７２の初期状態は、図７に示されているように、まだ部品が選択されていない部品カテゴリカード７３のうち、表示順位が１位である（言い換えると、１番目に表示される）部品カテゴリカード７３が、部品カテゴリ名称表示領域７４と選択ガイドメッセージ表示領域７５の２つの領域からなる形式のものとなって表示されている状態となっているとともに、部品選択画面８０の初期状態は、図７に示されているように、上述した２つの領域からなる形式となって表示されている部品カテゴリカード７３の部品カテゴリに対して選択可能な部品情報カード８１が一覧表示されている状態となる。
【０１７５】
この部品選択画面８０に表示される部品情報カード８１は、前述したサーバ１の部品情報抽出処理手段４２（図１参照）により部品情報マスタ２１から抽出された情報レコードから作成されるものとなっている。ここで、部品情報マスタ２１のデータ項目には、前述した部品カテゴリ情報マスタ２０と同様の「表示設定区分」がある。
【０１７６】
このため、図７で示されている部品選択画面８０の「打合せモード−躯体関連」で表示される部品情報カード８１は、部品情報マスタ２１のレコードのうち、データ項目「部品カテゴリＩＤ」の値が、部品カテゴリ選択画面７２で選択された部品カテゴリカード７３に対応する「部品カテゴリＩＤ」の値と一致し、かつ、データ項目「表示設定区分」の値が「１」であるレコードから作成される。
【０１７７】
なお、本実施形態では、部品カテゴリ選択画面７２と部品選択画面８０は、１つのウィンドウに左右に並べて配置されて一体となっているものであるが、これらの選択画面７２，８０は、それぞれ別のウィンドウで表示されるものとしてもよい。
【０１７８】
図８には、図７において、部品選択画面８０に一覧表示されている部品情報カード８１の１つが選択（マウスのクリック操作やキーボード操作、ディスプレイがタッチパネル方式のものである場合には、画面のタップ操作等）されることにより表示される部品仕様情報選択入力画面８５が示されている。
【０１７９】
なお、図８に示されているこの部品仕様情報選択入力画面８５では、画面モードを切り替えるためモード切替ボタンは配置されておらず、この部品仕様情報選択入力画面８５の画面モードは、図７の部品カテゴリ選択画面７２と部品選択画面８０の画面モードを引き継ぐものとなっており、「打合せモード−躯体関連」となっている。
【０１８０】
図７の部品選択画面８０で選択された部品の仕様情報を選択入力させるためのこの部品仕様情報選択入力画面８５には、図８に示されているように、部品の仕様情報である属性情報を選択するための属性情報選択領域８６と、部品の仕様情報である数量を入力するための数量入力欄９０等があり、属性情報選択領域８６には、部品の属性種別の名称が表示される属性種別名称表示欄８７と、部品の属性種別に対して選択可能な属性値の名称等の情報がカード形式で表示される属性値情報カード８８がある。
【０１８１】
このように、本実施形態では、部品仕様情報選択入力画面８５で選択入力される部品の仕様情報には、部品の属性種別と、この属性種別に対して選択可能な属性値と、を含んで構成される部品属性情報がある。
【０１８２】
この属性情報選択領域８６に表示される情報は、前述したサーバ１の部品属性情報抽出処理手段４４（図１参照）により部品属性情報マスタ２２から抽出されたレコードから作成されるものとなっている。ここで、部品属性情報マスタ２２のデータ項目には、前述した部品カテゴリ情報マスタ２０や部品情報マスタ２１と同様の「表示設定区分」がある。
【０１８３】
このため、図８で示されている部品仕様情報選択入力画面８５の「打合せモード−躯体関連」で属性情報選択領域８６に表示される情報は、部品属性情報マスタ２２のレコードのうち、データ項目「部品ＩＤ」の値が、部品選択画面８０で選択された部品に対応する「部品ＩＤ」の値と一致し、かつ、データ項目「表示設定区分」の値が１であるレコードから作成される。
【０１８４】
図８で示されている例では、「打合せモード−躯体関連」において、部品カテゴリ「屋根材」として選択された部品「ウッドピース」に対して選択可能な属性種別は「種類」のみであり、この属性種別「種類」に対して選択可能な属性値は「グランデ１５」と「グランデ８」の２種類となる。
【０１８５】
この部品仕様情報選択入力画面８５において、属性値の選択は、属性情報選択領域８６に表示されている属性値情報カード８８のいずれかを選択（マウスのクリック操作やキーボード操作、ディスプレイがタッチパネル方式のものである場合には、画面のタップ操作等）させる。
【０１８６】
なお、選択された属性値情報カード８８は着色される（本実施形態では水色となる）。また、一度選択した属性値を解除するには、右上に配置されている［選択解除］ボタン８９を操作する。
【０１８７】
属性値の選択や数量の入力が完了したら、この部品仕様情報選択入力画面８５の最下部に配置されている［お気に入りに追加］ボタン９１又は［確定］ボタン９２を操作して情報を保存する。
【０１８８】
［お気に入りに追加］ボタン９１又は［確定］ボタン９２が操作されると、この部品仕様情報選択入力画面８５で選択入力された仕様情報が、図１に示す建物仕様情報登録処理手段４９により、サーバ１の建物仕様情報テーブル１１に新規登録又は更新される。
【０１８９】
すなわち、建物仕様情報テーブル１１のデータ項目「顧客ＩＤ」には、現在打合せの対象となっている顧客の識別情報（顧客情報テーブルの「顧客ＩＤ」）が設定（言い換えると、移送）され、データ項目「プランＩＤ」には、現在打合せの対象となっているプランの識別情報（顧客情報テーブルの「プランＩＤ」）が設定され、データ項目「部品カテゴリＩＤ」には、部品仕様情報選択入力画面８５で仕様情報が選択入力された部品が属する部品カテゴリの識別情報（部品カテゴリ情報マスタ２０の「部品カテゴリＩＤ」）が設定され、データ項目「部品ＩＤ」には、部品仕様情報選択入力画面８５で仕様情報が選択入力された部品の識別情報（部品情報マスタ２１の「部品ＩＤ」）が設定され、データ項目「属性種別名称」には、部品仕様情報選択入力画面８５で選択された属性種別名称（部品属性情報マスタ２２の「属性種別名称」）が設定され、データ項目「属性値名称」には、部品仕様情報選択入力画面８５で選択された属性値名称（部品属性情報マスタ２２の「属性値名称」）が設定され、データ項目「メーカーＩＤ」には、部品仕様情報選択入力画面８５で仕様情報が入力された部品のメーカーの識別情報（部品情報マスタ２１の「メーカーＩＤ」）が設定され、データ項目「メーカー名称」には、部品仕様情報選択入力画面８５で仕様情報が入力された部品のメーカー名称（サーバ１の図示されないメーカー情報マスタの「メーカー名称」）が設定される。また、データ項目「確定保留区分」には、［お気に入りに追加］ボタン９１が操作された場合には、２（保留）が設定され、［確定］ボタン９２が操作された場合には、１（確定）が設定され、データ項目「進捗状況区分」には、［お気に入りに追加］ボタン９１が操作された場合には、１（打合せ中、言い換えると、選択中）が設定され、［確定］ボタン９２が操作された場合には、２（打合せ済（躯体関連））が設定され、この後、建物仕様情報テーブル１１に記憶される。
【０１９０】
なお、［お気に入りに追加］ボタン９１又は［確定］ボタン９２が操作されると、部品仕様情報選択入力画面８５で仕様情報が入力された部品が属するカテゴリである部品カテゴリ（図８の例では「屋根材」）の仕様の打合せの進捗状況情報が、建物仕様情報登録処理手段４９により、建物部品カテゴリ進捗状況情報テーブル１３に記憶される。
【０１９１】
すなわち、建物部品カテゴリ進捗状況情報テーブル１３のデータ項目「顧客ＩＤ」には、現在打合せの対象となっている顧客の識別情報（顧客情報テーブルの「顧客ＩＤ」）が設定され、データ項目「プランＩＤ」には、現在打合せの対象となっているプランの識別情報（顧客情報テーブルの「プランＩＤ」）が設定され、データ項目「部品カテゴリＩＤ」には、部品仕様情報選択入力画面８５で仕様情報が選択入力された部品の部品カテゴリの識別情報（部品カテゴリ情報マスタ２０の「部品カテゴリＩＤ」、図８の例では「屋根材」の部品カテゴリＩＤ）が設定され、データ項目「進捗状況区分」には、［お気に入りに追加］ボタン９１が操作された場合には、１（打合せ中、言い換えると、選択中）が設定され、［確定］ボタン９２が操作された場合には、２（打合せ済（躯体関連））が設定された情報レコードが、建物部品カテゴリ進捗状況情報テーブル１３に記憶される。
【０１９２】
図８において、［お気に入りに追加］ボタン９１又は［確定］ボタン９２が操作されることにより、部品仕様情報選択入力画面８５で選択入力された仕様情報が建物仕様情報テーブル１１に記憶されるとともに、部品仕様情報選択入力画面８５で仕様情報が入力された部品が属するカテゴリである部品カテゴリの仕様の打合せの進捗状況情報が建物部品カテゴリ進捗状況情報テーブル１３に記憶された後は、図９に示すように、図７と同様に「打合せモード−躯体関連」の部品カテゴリ選択画面７２及び部品選択画面８０が表示される。
【０１９３】
この図９で示されている部品カテゴリ選択画面７２では、図７で示されている部品カテゴリ選択画面７２と同様に、部位カテゴリ「屋根材」の部品カテゴリカード７３が表示されているが、この図９では、部品カテゴリカード７３は、部品カテゴリ名称表示領域７４より下の表示領域は、部品選択画面８０で選択された部品の画像、名称、単価の情報や、図８の部品仕様情報選択入力画面８５で選択入力された部品の数量等の情報が表示された選択部品情報表示領域７７となる。
【０１９４】
一方、部品選択画面８０には、図８の部品仕様情報選択入力画面８５で仕様情報が選択入力された部品の部品情報カード８１のみが表示される。
【０１９５】
なお、部品カテゴリ選択画面７２の部品カテゴリカード７３を構成する部品カテゴリ名称表示領域７４と選択部品情報表示領域７７の背景色は、打合せが未着手であること示す無地（本実施形態では白色）から、この部品カテゴリカード７３に対応する部品カテゴリの仕様の打合せの進捗状況（建物部品カテゴリ進捗状況情報テーブル１３のデータ項目「進捗状況区分」）に応じた色に着色される。
【０１９６】
すなわち、建物部品カテゴリ進捗状況情報テーブル１３のデータ項目「進捗状況区分」の値が２（打合せ済（躯体関連））である場合には、部品カテゴリ名称表示領域７４と選択部品情報表示領域７７の背景色は、無地から、打合せ済であることを示す色（図４の右上部に示されているハッチングで表示された打合せ進捗状況背景色の凡例６６のうち、「打合せ済み」の色（本実施形態では水色））に着色される。
【０１９７】
一方、建物部品カテゴリ進捗状況情報テーブル１３のデータ項目「進捗状況区分」がの値１（打合せ中、言い換えると、選択中）である場合には、部品カテゴリ名称表示領域７４と選択部品情報表示領域７７の背景色は、無地から、打合せ中であることを示す色（図４の右上部に示されているハッチングで表示された打合せ進捗状況背景色の凡例６６のうち、「選択中」の色（本実施形態では橙色））に着色される。
【０１９８】
このように、部品カテゴリ選択画面７２の部品カテゴリカード７３の部品カテゴリ名称表示領域７４と選択部品情報表示領域７７の背景色は、部品カテゴリごと（言い換えると、部品カテゴリ単位）の仕様の打合せの進捗状況情報が記憶されている建物部品カテゴリ進捗状況情報テーブル１３のデータ項目「進捗状況区分」の値に応じた色に着色される。
【０１９９】
なお、この着色処理は、図１に示されているサーバ１の部品カテゴリ色分け表示処理手段４０により実行される。
【０２００】
また、図９の部品選択画面８０で表示されている部品情報カード８１の下部には、図８の部品仕様情報選択入力画面で選択入力された仕様情報が、［確定］ボタン９２の操作により確定されたか、あるいは、［お気に入りに追加］ボタン９１の操作により保留されたかを示すボタン８２が表示されている。図９で示されている例では、図８の部品仕様情報選択入力画面８５で［確定］ボタン９２が操作されたため、部品情報カード８１の下部には、「確定」の文字列が表示されたボタン８２が表示される。一方、図８の部品仕様情報選択入力画面８５で［お気に入りに追加］ボタン９１が操作された場合には、部品情報カード８１の下部には、「お気に入り」の文字列が表示されたボタン８２が配置される。
【０２０１】
なお、図８の部品仕様情報選択入力画面８５で選択入力された仕様情報を変更する場合には、部品カテゴリ選択画面７２の部品カテゴリカード７３の選択部品情報表示領域７７に配置された［変更］ボタン７８を操作するか、あるいは、部品選択画面８０の部品情報カード８１の下部の上述したボタン８２を操作する。これにより、図８の部品仕様情報選択入力画面８５が表示される。
【０２０２】
また、図８の部品仕様情報選択入力画面８５で選択入力された仕様情報をクリア（言い換えると、取り消し）する場合には、部品カテゴリ選択画面７２の部品カテゴリカード７３の選択部品情報表示領域７７に配置された［クリア］ボタン７９を操作する。
【０２０３】
なお、部品カテゴリ選択画面７２で示されている部品カテゴリの部品の選択及び仕様情報の選択入力が完了したら、図９に示されているように、部品カテゴリ選択画面７２の下部に配置されている［選択を完了する］ボタン７６を操作する。
【０２０４】
この［選択を完了する］ボタン７６を操作することにより、部位カテゴリ（大分類）選択画面６１と部位カテゴリ（中分類）選択画面６７とで構成される図３に示す部位カテゴリ選択画面６０へ戻ることができる。
【０２０５】
なお、この部位カテゴリ選択画面６０へ戻るとき、建物仕様情報登録処理手段４９により、部位カテゴリ（中分類）ごと（言い換えると、部位カテゴリ（中分類）単位）の仕様の打合せの進捗状況情報が、建物仕様情報登録処理手段４９により、建物部位カテゴリ進捗状況情報テーブル１２に登録（又は更新）される。
【０２０６】
すなわち、建物部位カテゴリ進捗状況情報テーブル１２のデータ項目「顧客ＩＤ」には、現在打合せの対象となっている顧客の識別情報（顧客情報テーブルの「顧客ＩＤ」）が設定され、データ項目「プランＩＤ」には、現在打合せの対象となっているプランの識別情報（顧客情報テーブルの「プランＩＤ」）が設定され、データ項目「部位カテゴリＩＤ」には、図９の部品カテゴリ選択画面７２で表示されている部品カテゴリが属する部位カテゴリ（中分類）の識別情報である部位カテゴリＩＤが設定され、データ項目「進捗状況区分」には、１（打合せ中、言い換えると、選択中）又は２（打合せ済（躯体関連））が設定された情報レコードが、建物部位カテゴリ進捗状況情報テーブル１２に記憶される。
【０２０７】
図９で示されている例では、「打合せモード−躯体関連」において、部位カテゴリ「屋根材」の部品の選択及び仕様情報の選択入力が確定している（図８の部品仕様情報選択入力画面８５で［確定］ボタン９２が操作されている）ため、建物部位カテゴリ進捗状況情報テーブル１２のデータ項目「顧客ＩＤ」には、現在打合せの対象となっている顧客の識別情報（顧客情報テーブルの「顧客ＩＤ」）が設定され、データ項目「プランＩＤ」には、現在打合せの対象となっているプランの識別情報（顧客情報テーブルの「プランＩＤ」）が設定され、データ項目「部位カテゴリＩＤ」には、部位カテゴリ（中分類）「屋根」に対応する部位カテゴリ（中分類）ＩＤが設定され、データ項目「進捗状況区分」には２（打合せ済（躯体関連））が設定された情報レコードが、建物部位カテゴリ進捗状況情報テーブル１２に記憶される。
【０２０８】
このように、建物部位カテゴリ進捗状況情報テーブル１２に上述した情報レコードが記憶されることにより、図３に示す部位カテゴリ（中分類）選択画面６７の「打合せモード−躯体関連」で表示されている部位カテゴリ（中分類）カード６８の背景色は、図９の部品カテゴリ選択画面７２の部品カテゴリカード７３の背景色が建物部品カテゴリ進捗状況情報テーブル１３のデータ項目「進捗状況区分」の値に応じた色に着色されるのと同じように、建物部位カテゴリ進捗状況情報テーブル１２のデータ項目「進捗状況区分」の値に応じた色に着色される。
【０２０９】
なお、この着色処理は、図１に示されているサーバ１の部位カテゴリ（中分類）色分け表示処理手段３８により実行される。
【０２１０】
図示されていないが、上述した例では、部位カテゴリ（中分類）選択画面６７の「打合せモード−躯体関連」で表示されている部位カテゴリ（中分類）「屋根」の部位カテゴリ（中分類）カード６８の背景色は、打合せが未着手であること示す無地（本実施形態では白色）から、打合せ済であることを示す色（図４の打合せ進捗状況背景色の凡例６６のうち、「打合せ済み」の色（本実施形態では水色））に着色される。
【０２１１】
図１０は、図９において、［打合せモード−それ以外］ボタン６４を操作して、画面モードを「打合せモード−躯体関連」から「打合せモード−それ以外」に切り替えたときを示す図である。
【０２１２】
前述したように、部位カテゴリ（中分類）「屋根」に属する部品カテゴリには、「屋根材」、「雪止め」、「収まり部品」、「破風・鼻隠し」、「ツノ」、「軒樋」、「軒樋ＯＰ」、「換気用補助用品」、「トップライト」、「トップライトＯＰ」、「軒天材」等があり、サーバ１の部品カテゴリ情報マスタ２０に記憶されている部品カテゴリ「屋根材」の情報レコードの表示設定区分には「１」が設定されており、部品カテゴリ「トップライト」、「トップライトＯＰ」、「軒天材」の情報レコードの表示設定区分には「２」が設定されており、部品カテゴリ「雪止め」、「収まり部品」、「破風・鼻隠し」、「ツノ」、「軒樋」、「軒樋ＯＰ」、「換気用補助用品」の情報レコードの表示設定区分には「３」が設定されている。
【０２１３】
そして、部品カテゴリ選択画面７２の「打合せモード−それ以外」では、表示設定区分に「１」又は「２」が設定されている部品カテゴリのカテゴリ名称が表示された部品カテゴリカード７３の一覧が表示される。
【０２１４】
すなわち、部品カテゴリ選択画面７２の「打合せモード−それ以外」では、表示設定区分に１が設定されている「屋根材」のカテゴリ名称が表示された部品カテゴリカード７３と、表示設定区分に２が設定されている「トップライト」、「トップライトＯＰ」、「軒天材」の部品カテゴリのカテゴリ名称が表示された部品カテゴリカード７３の一覧が表示される。
【０２１５】
この部品カテゴリ選択画面７２の「打合せモード−それ以外」では、部品カテゴリ「屋根材」よりも仕様を確定させる優先度の低い部品カテゴリ「トップライト」、「トップライトＯＰ」、「軒天材」の部品の選択を図１０で示されている部品選択画面８０で行うとともに、この部品選択画面８０で選択した部品の仕様情報の選択入力を部品仕様情報選択入力画面８５で行うことになる。
【０２１６】
ところで、図１０から分かるように、部品カテゴリ選択画面７２及び部位選択画面８０の画面モードを「打合せモード−躯体関連」から「打合せモード−それ以外」に切り替えたことにより、部品カテゴリ「屋根材」の部品カテゴリカード７３の背景色は、打合せ済であることを示す色（図４の打合せ進捗状況背景色の凡例６６のうち、「打合せ済み」の色（本実施形態では水色））から、打合せ中であることを示す色（図４の打合せ進捗状況背景色の凡例６６のうち、「選択中」の色（本実施形態では橙色））に変化している。
【０２１７】
これは、「打合せモード−躯体関連」で確定させるべき仕様情報の選択入力は完了したが、「打合せモード−それ以外」で確定させるべき仕様情報が存在することを意味している。
【０２１８】
図１１は、図１０において、部品カテゴリ選択画面７２の部品カテゴリ「屋根材」の部品カテゴリカード７３に表示されている［変更］ボタン７８、あるいは、部品選択画面８０の部品情報カード８１に表示されているボタン８２を操作したことにより表示される部品仕様情報選択入力画面８５を示す図である。
【０２１９】
この図１１から、部品カテゴリ「屋根材」の部品として選択した「ウッドピース」の仕様情報である属性情報を構成する属性種別名称には、部品仕様情報選択入力画面８５の「打合せモード−躯体関連」で属性値名称として「グランデ１５」を選択した「種類」の他に、「色」があることが分かる。
【０２２０】
そこで、この部品仕様情報選択入力画面８５の「打合せモード−それ以外」において、属性種別名称「色」に対して選択可能な属性値を、「シルバーグレー」、「ダークグリーン」、「ブラック」、「ブラウン」の４つの属性値情報カード８８から選択することになる。
【０２２１】
このように、優先度となっている表示設定区分は、部品仕様情報選択入力画面で選択される属性値が属する属性種別に対して予め設定されている。すなわち、属性種別名称「種類」に対しては、部品属性情報マスタ２２のデータ項目「表示設定区分」に「１」が予め設定されており、属性種別名称「色」に対しては、部品属性情報マスタ２２のデータ項目「表示設定区分」に「２」が予め設定されている。
【０２２２】
なお、この図１１に示す部品仕様情報選択入力画面８５の「打合せモード−それ以外」においても、属性種別名称「種類」についての属性値名称の変更ができるようになっている。すなわち、例えば、前述した図８に示す部品仕様情報選択入力画面８５の「打合せモード−躯体関連」において属性種別名称「種類」に対して選択した属性値名称「グランデ１５」を、この図１１に示す部品仕様情報選択入力画面８５の「打合せモード−それ以外」において、属性値名称「グランデ８」に変更することができる。この変更は、［選択解除］ボタン８９の操作によって選択済の属性値名称を解除することにより行える。
【０２２３】
図１２は、図１１において、属性種別名称「色」に対して可能な属性値を、「シルバーグレー」、「ダークグリーン」、「ブラック」、「ブラウン」の４つの属性値情報カード８８から選択し、［確定］ボタン９２を操作した後に表示される部品カテゴリ選択画面７２及び部品選択画面８０を示す図である。
【０２２４】
この図１２から分かるように、部品カテゴリ「屋根材」の部品カテゴリカード７３の背景色は、打合せ中であることを示す色（図４の打合せ進捗状況背景色の凡例６６のうち、「選択中」の色（本実施形態では橙色））から、打合せ済であることを示す色（図４の打合せ進捗状況背景色の凡例６６のうち、「打合せ済み」の色（本実施形態では水色））に変化している。
【０２２５】
これは、上述したように、図１１において、属性種別名称「色」に対して可能な属性値を、「シルバーグレー」、「ダークグリーン」、「ブラック」、「ブラウン」の４つの属性値情報カード８８から選択し、［確定］ボタン９２を操作したことにより、建物部品カテゴリ進捗状況情報テーブル１３の部品カテゴリ「屋根材」のレコードのデータ項目「進捗状況区分」の値が２（打合せ済（躯体関連））から３（打合せ済（顧客側））に更新されたことによるものである。
【０２２６】
以上で、「打合せモード−それ以外」において、部位カテゴリ「屋根材」の部品の選択及び仕様情報の選択入力が確定したことになる。言い換えると、部品カテゴリ「屋根材」について、顧客側で確定する仕様情報の選択入力が完了したことになる。
【０２２７】
この後は、図１２で示されているように、部品カテゴリ「トップライト」、「トップライトＯＰ」、「軒天材」のそれぞれについて、部品の選択及び仕様情報の選択入力を行うことになる。
【０２２８】
図１３は、図１２において、部品カテゴリ「トップライト」、「トップライトＯＰ」、「軒天材」のそれぞれについて、部品の選択及び仕様情報の選択入力を完了した後、［担当者モード］ボタン６５を操作して、画面モードを「打合せモード−それ以外」から「担当者モード」に切り替えたときを示す図である。
【０２２９】
前述したように、部位カテゴリ（中分類）「屋根」に属する部品カテゴリには、「屋根材」、「雪止め」、「収まり部品」、「破風・鼻隠し」、「ツノ」、「軒樋」、「軒樋ＯＰ」、「換気用補助用品」、「トップライト」、「トップライトＯＰ」、「軒天材」等があり、サーバ１の部品カテゴリ情報マスタ２０に記憶されている部品カテゴリ「屋根材」の情報レコードの表示設定区分には「１」が設定されており、部品カテゴリ「トップライト」、「トップライトＯＰ」、「軒天材」の情報レコードの表示設定区分には「２」が設定されており、部品カテゴリ「雪止め」、「収まり部品」、「破風・鼻隠し」、「ツノ」、「軒樋」、「軒樋ＯＰ」、「換気用補助用品」の情報レコードの表示設定区分には「３」が設定されている。
【０２３０】
そして、部品カテゴリ選択画面７２の「担当者モード」では、表示設定区分に「１」又は「２」又は「３」が設定されている部品カテゴリのカテゴリ名称が表示された部品カテゴリカード７３の一覧が表示される。
【０２３１】
すなわち、部品カテゴリ選択画面７２の「担当者モード」では、図１３で示されているように、表示設定区分に「１」が設定されている「屋根材」のカテゴリ名称が表示された部品カテゴリカード７３と、表示設定区分に「２」が設定されている「トップライト」、「トップライトＯＰ」、「軒天材」の部品カテゴリのカテゴリ名称が表示された部品カテゴリカード７３と、表示設定区分に「３」が設定されている「雪止め」、「収まり部品」、「破風・鼻隠し」、「ツノ」、「軒樋」、「軒樋ＯＰ」、「換気用補助用品」の部品カテゴリのカテゴリ名称が表示された部品カテゴリカード７３の一覧が表示される。
【０２３２】
ところで、図１３から分かるように、部品カテゴリ選択画面７２及び部位選択画面８０の画面モードを「打合せモード−それ以外」から「担当者モード」に切り替えたことにより、部品カテゴリ「屋根材」の部品カテゴリカード７３の背景色は、打合せ済であることを示す色（図４の打合せ進捗状況背景色の凡例６６のうち、「打合せ済み」の色（本実施形態では水色））から、打合せ中であることを示す色（図４の打合せ進捗状況背景色の凡例６６のうち、「選択中」の色（本実施形態では橙色））に再度変化している。また、部品カテゴリ「トップライト」、「トップライトＯＰ」、図示されない「軒天材」の部品カテゴリカード７３の背景色は、打合せ中であることを示す色（図４の打合せ進捗状況背景色の凡例６６のうち、「選択中」の色（本実施形態では橙色））となっている。
【０２３３】
これは、「打合せモード−躯体関連」及び「打合せモード−それ以外」で確定させるべき仕様情報の選択入力は完了したが、「担当者モード」で確定させるべき仕様情報が存在することを意味している。
【０２３４】
図１４は、図１３において、部品カテゴリ選択画面７２の部品カテゴリ「屋根材」の部品カテゴリカード７３に表示されている［変更］ボタン７８、あるいは、部品選択画面８０の部品情報カード８１に表示されているボタン８２を操作したことにより表示される部品仕様情報選択入力画面８５を示す図である。
【０２３５】
この図１４から、部品カテゴリ「屋根材」の部品として選択した「ウッドピース」の仕様情報である属性情報を構成する属性種別名称には、部品仕様情報選択入力画面８５の「打合せモード−躯体関連」で表示されていた「種類」（図８参照）や、「打合せモード−それ以外」で表示されていた「色」（図１１参照）の他に、「屋根種別」、「屋根形状」、「屋根勾配」、「支給形態」、「ルーフィング施工」等があり、属性種別名称「屋根形状」については、属性値がまだ選択されていない状態であることが分かる。
【０２３６】
このため、この部品仕様情報選択入力画面８５の「担当者モード」において、属性種別名称「屋根形状」に対して選択可能な属性値を、属性値情報カード８８から選択する作業を行い、部品カテゴリ「トップライト」、「トップライトＯＰ」、「軒天材」についても、同様の作業を、部品仕様情報選択入力画面８５の「担当者モード」において行う。
【０２３７】
また、部品カテゴリ選択画面７２の「打合せモード−それ以外」で表示されなかった部品カテゴリに対しては、部品選択画面８０の「担当者モード」において部品を選択する作業を行うとともに、部品仕様情報選択入力画面８５において、選択した部品の仕様情報の選択入力作業を行う。
【０２３８】
図１５は、図３に示す部位カテゴリ（中分類）選択画面６７の右上部に配置されている［オプション］ボタン９４が操作されることにより表示されるステータス（進捗状況）一覧照会画面９４を示す図である。
【０２３９】
このステータス（進捗状況）一覧照会画面９４は、部位カテゴリ（中分類）選択画面６７の画面モードと連動したものとなっている。
【０２４０】
部位カテゴリ（中分類）ごとの仕様の打合せの進捗状況が色分けされて一目で分かる画面となっているこのステータス（進捗状況）一覧照会画面９４は、部位カテゴリ（大分類）のカテゴリ名称が表示された部位カテゴリ（大分類）カード９５が横方向に並んで配置されており、それぞれの部位カテゴリ（大分類）カードの下に、それぞれの部位カテゴリ（大分類）に属するカテゴリ（中分類）の名称が表示された部位カテゴリ（中分類）カード９６が縦方向に並んで配置されたものとなっている。
【０２４１】
それぞれの部位カテゴリ（中分類）カードは、前述したサーバ１の建物部位カテゴリ進捗状況情報テーブル１２に記憶されているそれぞれの部位カテゴリ（中分類）のレコードのデータ項目「進捗状況区分」の値にしたがって色分け処理がなされるものである。
【０２４２】
図１５で示されているように、それぞれの部位カテゴリ（中分類）カードに付される色の凡例９７が、ステータス（進捗状況）一覧照会画面９４の右上部に表示されているが、この凡例９７は、図３〜図６等で示されている凡例６６と同じものである。すなわち、図３、図５及び図６で示す部位カテゴリ（中分類）選択画面６７に表示されているそれぞれの部位カテゴリ（中分類）カード６８に付される色は、ステータス（進捗状況）一覧照会画面９４に表示されているそれぞれの部位カテゴリ（中分類）カードに付される色と同じものである。
【０２４３】
この色分け表示処理は、サーバ１の部位カテゴリ（中分類）選択受付処理手段３３の部位カテゴリ（中分類）色分け表示処理手段３８により実行されるものとなっている。
【０２４４】
なお、図６に示されているように、部位カテゴリ（中分類）選択画面６７が「担当者モード」となっている場合には、それぞれの部位カテゴリ（中分類）カード６８の右端部に配置されている引き出しアイコン６９の左隣りには、［表示］ボタン７０又は［非表示］ボタン７１が配置されるようになっている。
【０２４５】
［表示］ボタン７０が表示されている部位カテゴリ（中分類）カード６８は、この部位カテゴリ（中分類）カード６８が「打合せモード−躯体関連」及び「打合せモード−それ以外」において表示される設定となっていることを意味しており、［非表示］ボタン７１が表示されている部位カテゴリ（中分類）カード６８は、この部位カテゴリ（中分類）カード６８が「打合せモード−躯体関連」及び「打合せモード−それ以外」において表示されない設定となっていることを意味している。
【０２４６】
前述したように、部位カテゴリ（中分類）選択画面６７の各モードにおける部位カテゴリ（中分類）カード６８の表示制御は、部品カテゴリ情報マスタ２０のデータ項目である「表示設定区分」により行われるが、この「表示設定区分」は、部位カテゴリ（中分類）ごとに一律に設定されている。すなわち、この「表示設定区分」は、顧客の建物ごとに設定可能となっていない。
【０２４７】
このため、本実施形態では、部位カテゴリ（中分類）選択画面６７が「担当者モード」となっている場合に、それぞれの部位カテゴリ（中分類）カード６８に配置されている［表示］ボタン７０又は［非表示］ボタン７１は、部位カテゴリ（中分類）選択画面６７の各モードにおける部位カテゴリ（中分類）カード６８の表示制御を顧客の建物ごとに行うようにするためのボタンとなっている。
【０２４８】
例えば、部品カテゴリ情報マスタ２０に記憶されている部位カテゴリ（中分類）「★発注時よく使う部品★」の表示設定区分は、３（担当者にのみ見せる）となっており、このため、部位カテゴリ（中分類）選択画面６７の「打合せモード−躯体関連」及び「打合せモード−それ以外」では、部位カテゴリ（中分類）「★発注時よく使う部品★」の部位カテゴリ（中分類）カード６８は表示されないようになっている。
【０２４９】
そして、図６で示されているように、部位カテゴリ（中分類）選択画面６７の「担当者モード」において、部位カテゴリ（中分類）「★発注時よく使う部品★」の部位カテゴリ（中分類）カードには、［非表示］ボタン７１が配置されており、これは、部位カテゴリ（中分類）「★発注時よく使う部品★」の部位カテゴリ（中分類）カードは、この部位カテゴリ（中分類）カード６８が「打合せモード−躯体関連」及び「打合せモード−それ以外」において表示されない設定となっていることを示している。
【０２５０】
そこで、部位カテゴリ（中分類）「★発注時よく使う部品★」の部位カテゴリ（中分類）カード６８に配置されている［非表示］ボタン７１を操作すると、この［非表示］ボタン７１が［表示］ボタン７０に変化するとともに、建物部位カテゴリ進捗状況情報テーブル１２にレコードが記憶される。すなわち、建物部位カテゴリ進捗状況情報テーブル１２のデータ項目「顧客ＩＤ」には、現在打合せの対象となっている顧客の識別情報（顧客情報テーブルの「顧客ＩＤ」）が設定され、データ項目「プランＩＤ」には、現在打合せの対象となっているプランの識別情報（顧客情報テーブルの「プランＩＤ」）が設定され、データ項目「部位カテゴリＩＤ」には、部位カテゴリ（中分類）「★発注時よく使う部品★」の部位カテゴリ（中分類）ＩＤが設定され、データ項目「表示設定区分」には、１（カテゴリ名称を「打合せモード−躯体関連」と「打合せモード−それ以外」と「担当者モード」の３つのモード画面で見せる）が設定されたレコードが、建物部位カテゴリ進捗状況情報テーブル１２に記憶される。
【０２５１】
この結果、部位カテゴリ（中分類）選択画面６７の「打合せモード−躯体関連」及び「打合せモード−それ以外」における部位カテゴリ（中分類）「★発注時よく使う部品★」の部位カテゴリ（中分類）カード６８の表示設定が、現在打合せの対象となっている顧客の建物に対して個別に設定されたことになり、建物部位カテゴリ進捗状況情報テーブル１２に記憶された部位カテゴリ（中分類）「★発注時よく使う部品★」の表示設定区分「１」は、部品カテゴリ情報マスタ２０に記憶されている部位カテゴリ（中分類）「★発注時よく使う部品★」の表示設定区分「３」に優先する。
【０２５２】
これにより、現在打合せの対象となっている顧客の建物について仕様の打合せをするときには、部位カテゴリ（中分類）選択画面６７の「打合せモード−躯体関連」及び「打合せモード−それ以外」において、部位カテゴリ（中分類）「★発注時よく使う部品★」の部位カテゴリ（中分類）カード６８が表示されるようになる。
【０２５３】
このように、部位カテゴリ（中分類）選択画面６７の「担当者モード」において表示される［非表示］ボタン７１の操作により、この［非表示］ボタン７１が配置されていた部位カテゴリ（中分類）カード６８については、部位カテゴリ（中分類）選択画面６７の全てのモード画面で表示されるようになる。
【０２５４】
なお、部位カテゴリ（中分類）「★発注時よく使う部品★」の部位カテゴリ（中分類）カード６８に配置されていた［非表示］ボタン７１を操作することにより［表示］ボタン７０に変化したこの［表示］ボタン７０を操作することにより、表示設定区分は「１」からもとの「３」に戻ることになる。
【０２５５】
このように、本実施形態では、部位カテゴリ（中分類）ごとに予め設定されている仕様を確定させる優先度となっている表示設定区分は、部位カテゴリ（中分類）選択画面６７の担当者モード画面において、顧客の建物ごとに変更可能となっている。
【０２５６】
図１６には、ウィンドウの最上部に配置されている［選択部品一覧］タブ５８（図２参照）を操作することにより表示される選択部品一覧照会画面１００が示されている。
【０２５７】
前述したように、サーバ１の選択部品一覧照会処理手段４６により表示用データが作成されるとともに、画面制御処理が実行されるこの選択部品一覧照会画面１００は、部品選択画面８０で選択され、部品仕様情報選択入力画面８５で仕様情報が選択入力された部品の一覧を照会するための画面である。
【０２５８】
前述したように、選択部品一覧照会画面１００の表示用データは、処理手段３０を構成する図示しない選択部品情報抽出処理手段が、現在処理対象となっている顧客の建物仕様情報テーブル１１のレコードのうち、この建物仕様情報テーブル１１のデータ項目「確定保留区分」の値が「１」（確定）又は「２」（保留）レコードを抽出（検索）して作成する。
【０２５９】
図１６で示されているように、選択部品一覧照会画面１００にも、「打合せモード−躯体関連」と「打合せモード−それ以外」と「担当者モード」の３つのモード画面があり、このため、上述した選択部品情報抽出処理手段は、部品カテゴリ情報マスタ２０、部品情報マスタ２１及び部品属性情報マスタ２２のデータ項目「表示設定区分」や、建物部位カテゴリ進捗状況情報テーブル１２のデータ項目「表示設定区分」も参照しながら、選択部品一覧照会画面１００の表示用データを作成するようになっている。
【０２６０】
図１６に示すように、選択部品一覧照会画面１００は、左側に、部位カテゴリ（大分類）のカテゴリ名称表示欄１０１と、それぞれの部位カテゴリ（大分類）に属する部位カテゴリ（中分類）のカテゴリ名称表示欄１０２が配置されており、情報を照会したい部位カテゴリ（中分類）のカテゴリ名称表示欄１０２を操作することにより、指定した部位カテゴリ（中分類）に属する部品カテゴリの部品の仕様情報が右側に表示されるものとなっている。
【０２６１】
図１６で示されているように、カテゴリ名称表示欄１０１，１０２の右側には、上から部位カテゴリ（大分類）のカテゴリ名称欄１０３、部品カテゴリのカテゴリ名称欄１０４、この部品カテゴリで選択された部品の名称表示欄１０５、選択された部品の仕様情報表示領域１０６等が配置されている。
【０２６２】
この部品の仕様情報表示領域１０６のうち、部品の属性種別名称及び属性値名称が表示される部品属性情報カード１０７の背景色は、前述したサーバ１の部品属性種別色分け表示処理手段４７により着色処理がされるようになっている。例えば、担当者側で属性値を選択すべき属性種別のうち、まだ属性値の選択がされていない属性種別についての部品属性情報カード１０７の背景色は、選択部品一覧照会画面１００の「担当者モード」では、赤色に着色される。また、顧客側で属性値を選択すべき属性種別のうち、まだ属性値の選択がされていない属性種別についての部品属性情報カード１０７の背景色は、選択部品一覧照会画面１００の「打合せモード−それ以外」では、赤色に着色される。
【０２６３】
なお、選択部品一覧照会画面１００に右上部には、［オプション］ボタン１０８が配置されており、このボタン１０８が操作されると、図示されない帳票作成メニューウィンドウが表示される。本実施形態では、この帳票作成メニューの中で、「打合せモード−躯体関連」のモード画面において仕様情報が選択入力された部品により構成される顧客の建物の躯体が構造的に問題ないかをチェックするための構造チェックシートの出力を選択することができるようになっている。
【０２６４】
この構造チェックシートの出力処理（言い換えると、作成処理）は、図１に示すサーバ１の処理手段３０に備えられている構造チェックシート出力処理手段５１より実行される。この構造チェックシート出力処理手段５１は、現在処理対象となっている顧客の建物仕様情報テーブル１１のレコードのうち、この建物仕様情報テーブル１１のデータ項目「確定保留区分」の値が「１」（確定）であって、表示設定区分（部品カテゴリ情報マスタ２０、部品情報マスタ２１及び部品属性情報マスタ２２を参照する）の値が「１」のレコードを抽出（検索）して構造チェックシートを作成する処理を実行する。
【０２６５】
図１に示されているように、構造チェックシート２３はサーバ１に出力された後、このサーバ１の処理手段３０に備えられている構造チェックシートダウンロード処理手段５２により、端末装置３にダウンロードされる。
【０２６６】
図１７は、端末装置３にダウンロードされたスプレッド形式となっている構造チェックシート２３を、端末装置３に搭載された表計算ソフトウェアで読み込んだときを示す図である。この図１７から分かるように、構造チェックシート２３に出力されるデータ項目は、図１６に示されている選択部品一覧照会画面に出力されるデータ項目のうち、画像データを除いたものと略同じものとなっている。
【０２６７】
この端末装置３にダウンロードされた構造チェックシート２３は、そのままのデータ形式で、あるいは、プリンターで印刷された紙の形式で建物のメーカーへ送り、この構造チェックシート２３に記載された部品により構成される顧客の建物の躯体が構造的に問題ないか否かのチェックを依頼する。
【０２６８】
依頼したメーカーによるチェックの結果、構造チェックシート２３に記載された部品により構成される顧客の建物の躯体が構造的に問題があると判明した場合には、本システムにおいて、当初選択した部品の選択のやり直し、あるいは、当初選択した部品の仕様の見直し等を行う。
【０２６９】
以上説明した本実施形態では、顧客の建物を構成する部品の仕様情報を選択入力させるための建物仕様情報選択入力画面は、部位カテゴリ（大分類）選択画面６１と、部位カテゴリ（中分類）選択画面６７と、部品カテゴリ選択画面と、部品選択画面８０と、部品仕様情報選択入力画面８５と、を含んで構成されており、これらの画面には、担当者モード画面と、顧客モード画面となっている打合せモード画面を構成する第１モード画面である「打合せモード−躯体関連」のモード画面と、第２モード画面である［打合せモード−それ以外］のモード画面と、がある。
【０２７０】
本実施形態では、「打合せモード−躯体関連」のモード画面は、仕様を確定させる優先度の高い部品、すなわち、顧客の建物の躯体に関連する部品の仕様情報を選択入力させるための第１モード画面となっている。一方、「打合せモード−それ以外」のモード画面は、顧客の建物を構成する部品のうち、仕様を確定させる優先度の低い部品、すなわち、顧客の建物の躯体に関連する部品以外の部品の仕様情報を選択入力させるための第２モード画面となっている。
【０２７１】
このため、本実施形態では、担当者は、顧客とこの顧客の建物の仕様の打合せをするとき、まず第１モード画面である「打合せモード−躯体関連」のモード画面において、発注から納品までの期間が長い部品である顧客の建物の躯体に関連する部品の仕様情報を選択入力する（あるいは顧客に選択入力させる）。
【０２７２】
そして、仕様を確定させる優先度の高い全ての又は略全ての部品の仕様情報を選択入力する作業が完了したら、担当者は、第２モード画面である「打合せモード−それ以外」のモード画面において、仕様を確定させる優先度の低い部品の仕様情報を選択入力する（あるいは顧客に選択入力させる）。
【０２７３】
このように、本実施形態では、顧客の建物に対する経験やスキルがない担当者でも、仕様を確定させる優先度の高い部品の仕様情報を選択入力する作業から始めることができる。
【０２７４】
このため、本実施形態によると、担当者の顧客の建物に対する経験やスキルの有無に関係なく、顧客の建物の工期や確認申請に影響を与えることなく顧客の建物の仕様を確定することができるようになる。
【０２７５】
また、本実施形態によると、担当者モード画面と顧客モード画面の２つのモード画面で構成されていた従来と比較して、顧客の建物の仕様を確定させるための打合せの時間をより短縮化させることができる。
【０２７６】
また、本実施形態では、サーバ１には、「打合せモード−躯体関連」のモード画面で仕様情報が選択入力された部品により構成される躯体が構造的に問題ないかをチェックするための構造チェックシートを出力するための構造チェックシート出力手段が備えられている。
【０２７７】
このため、本実施形態によると、「打合せモード−躯体関連」のモード画面で仕様情報が選択入力されたが、使用されることにより顧客の建物の躯体に問題が生じる部品が発注されることを未然に防止することができる。
【０２７８】
なお、本実施形態では、建物仕様情報選択入力画面を構成する各画面における担当者モード画面と、「打合せモード−躯体関連」のモード画面と、「打合せモード−それ以外」のモード画面の表示切り替えは、建物仕様情報選択入力画面を構成する各画面の枠外に配置した切替ボタンを操作することによってこれらの画面の表示切り替えが行われるようになっていたが、それぞれのモード画面に設けたタブを操作することによって画面の表示切り替えが行われるものであってもよい。
【０２７９】
図１８は、部位カテゴリ（大分類）選択画面６１において部位カテゴリ（大分類）「内部」が選択され、部位カテゴリ（中分類）選択画面６７において部位カテゴリ（中分類）「内装」が選択され、この後、部品カテゴリ選択画面７２において仕上材の部品カテゴリ「床仕上」が選択された後、部品選択画面８０において部品名称「天然杢フロア」の部品が選択された後に表示される部品仕様情報選択入力画面８５であって、部品の属性情報の選択が全て完了しているときを示す図である。
【０２８０】
部品カテゴリ選択画面７２において内装の仕上材以外の部品カテゴリが選択され、部品仕様情報選択入力画面８５において部品の属性情報の選択がすべて完了したときには、部品仕様情報選択入力画面８５の右下部に配置されている［お気に入りに追加］ボタンの右側には、［確定］ボタンが表示される。
【０２８１】
しかし、部品カテゴリ選択画面７２において内装の仕上材の部品カテゴリである「床仕上」又は「壁・天井仕上」が選択され、部品仕様情報選択入力画面８５において部品の属性情報の選択がすべて完了したときには、部品仕様情報選択入力画面８５の右下部に配置されている［お気に入りに追加］ボタンの右側には、図１８に示されているように、［部屋選択］ボタン９３が表示される。この［部屋選択］ボタン９３が操作されると、図１９に示されているように、部品仕様情報選択入力画面８５において属性情報の選択がすべて完了した部品である内装の仕上材を配置する部屋を選択するための仕上材配置部屋選択画面１０９が表示される。
【０２８２】
この仕上材配置部屋選択画面１０９は、仕上材を配置する部屋を縦軸に、仕上部位を横軸にした仕上表形式の表領域１１０を有するものとなっている。
【０２８３】
表領域１１０の行見出し欄１１２は、仕上材配置部屋名称表示欄１１２となっており、これらの欄１１２には、仕上材を配置する部屋の部屋名称が上から順に表示されている。また、表領域１１０の列見出し欄１１３は、仕上部位名称表示欄（仕上場所名称表示欄）１１３となっており、これらの欄１１３には、仕上部位（言い換えると、仕上場所）の名称である「床」「壁」「天井」が表示されている。表領域１１０の左上の欄外には部品名称表示欄１１１が配置されており、この部品名称表示欄１１１には、部品仕様情報選択入力画面８５で属性情報の選択がすべて完了したことにより決定した部品名称、すなわち、現在処理対象（部屋へ配置する対象）となっている部品の部品名称が表示される。
【０２８４】
なお、表領域１１０の仕上材配置部屋名称表示欄１１２にそれぞれに表示される部屋名称は、サーバ１の図示されない部品配置場所パターン情報記憶手段である部品配置場所パターン情報マスタに予め登録されている。
【０２８５】
この部品配置場所パターン情報マスタは、部品の配置場所（仕上材のカテゴリである場合には配置部屋）情報である配置場所名称等を記憶するための記憶手段（マスタ）であり、この部品配置場所パターン情報記憶手段のデータ項目には、部品カテゴリの識別情報（部品カテゴリＩＤ）と、配置場所パターンの識別情報（部品カテゴリパターンＩＤ）と、配置場所名称（言い換えると、配置場所パターン名称）、配置場所名称変更可能フラグ等がある。この配置場所名称には、例えば、部品カテゴリが「床仕上」、や「壁・天井仕上」である場合には、図１９に示されているように、「１Ｆ  玄関」、「１Ｆ  ホール」、「１Ｆ  居間・食堂」、「１Ｆ  台所」等があり、部品カテゴリが「軒天材」である場合には、「１棟内全て」、「バルコニー直下」、「玄関前」等がある。
【０２８６】
仕上材配置部屋名称表示欄１１２には、部品配置場所パターン情報マスタの情報レコードのうち、部品カテゴリＩＤが、この仕上材配置部屋選択画面１０９で処理対象となっている仕上材の部品カテゴリＩＤと一致するレコードの配置場所名称が表示される。
【０２８７】
また、図１９に示されているように、仕上材を配置する各部屋となっている表領域１１０の各セルの右隅には、仕上材をセルに配置するための［配置］アイコン１１７、又は、セルに配置済みの仕上材を消去する（取り消す）ための［クリア］アイコン１１８が配置されている。
【０２８８】
なお、セルに配置する対象となっている仕上材の仕上区分（部品カテゴリ情報マスタ２０を参照）が１（床仕上）である場合には、この仕上材を配置できるセルは、「床」の列のセルのみとなり、２（壁・天井仕上）である場合には、「壁」と「天井」の２列のセルとなる。
【０２８９】
このため、セルに配置する対象となっている仕上材の仕上区分が１である場合には、「配置］アイコン１１７又は［クリア］アイコン１１８は、「床」の列のセルにのみ表示され、セルに配置する対象となっている仕上材の仕上区分が２である場合には、「壁」と「天井」のセルにそれそれぞれ表示される。
【０２９０】
なお、表領域１１０の初期状態は、配置できる各セルの右隅に［配置］アイコン１１７が表示されているのみの状態となる。
【０２９１】
表領域１１０の各セルに表示されている［配置］アイコン１１７を操作することにより、この［配置］アイコン１１７が［クリア］アイコン１１８に変化すると同時に、セル内の左側の部品メーカー名称表示欄１１４と、部品名称表示欄１１５と、品番（部品の商品番号）表示欄１１６には、部品仕様情報選択入力画面８５で仕様情報を選択入力した部品の部品メーカー名称と、部品名称と、品番が表示される。一方、セルに配置した仕上材を
消去する場合は、［クリア］アイコン１１８を操作することにより、この［クリア］アイコン１１８が［配置］アイコン１１７に変化すると同時に、セル内の左側の部品メーカー名称表示欄１１４、部品名称表示欄１１５及び品番表示欄１１６に表示されていた各情報が消去される。
【０２９２】
なお、仕上材配置部屋名称表示欄１１２に表示されている部屋名称は、顧客の建物ごとに変更可能（前述した部品配置場所パターン情報マスタのデータ項目「配置場所名称変更可能フラグ」の値が１（変更可）であるパターンデータのみ）となっており、変更したい部屋名称が表示されているセルである仕上材配置部屋名称表示欄１１２を操作することにより、図示されない部屋名称入力ウィンドウが表示されるので、このウィンドウ内の部屋名称入力欄で名称を入力後、このウィンドウ内の［確定］ボタンの操作で変更が完了する。
【０２９３】
仕上材を配置する部屋の選択作業が完了したら、表領域１１０の右下の欄外に配置された［確定］ボタン１１９を操作することにより、各セルに配置された仕上材の配置場所（言い換えると、配置部屋）情報が、サーバ１の処理手段３０に備えられた図示しない部品配置場所情報登録処理手段により、サーバ１の図示しない建物別部品配置場所パターン情報記憶手段である部品配置場所パターン情報テーブルに記憶される。
【０２９４】
この部品配置場所パターン情報テーブルは、顧客の建物を構成する部品の配置場所情報である配置場所名称（配置場所パターン名称）等を記憶するための記憶手段（テーブル）であり、データ項目には、建物の識別情報（プランＩＤ）と、部品カテゴリの識別情報（部品カテゴリＩＤ）と、配置場所パターンの識別情報（部品カテゴリパターンＩＤ）と、配置場所名称（配置場所パターン名称）等がある。そして、この部品配置場所パターン情報テーブルのデータ項目「部品カテゴリパターンＩＤ」、「配置場所パターン名称」には、部品配置場所パターン情報マスタのデータ項目「部品カテゴリパターンＩＤ」、「配置場所パターン名称」の情報がそれぞれセット（言い換えると、編集）される。なお、前述したように、部屋名称を変更した部屋については、変更した部屋名称が上記データ項目「配置場所パターン名称」にセットされる。
【０２９５】
なお、サーバ１の処理手段３０には、仕上材を配置する部屋を選択させるための仕上材配置部屋選択画面１０９の表示用データを端末装置３へ送信するとともに、仕上材配置部屋選択画面１０９で選択されて端末装置３からネットワーク２を介して送信されてくる仕上材の配置部屋（言い換えると、配置場所）情報を受信する処理を実行する仕上材配置部屋情報選択受付処理手段が備えられており、仕上材配置部屋選択画面１０９における画面制御処理は、この仕上材配置部屋情報選択受付処理手段により実行される。
【０２９６】
前述した部品配置場所情報登録処理手段は、上記仕上材配置部屋情報選択受付処理手段により受け付けた部品（仕上材）の配置場所（配置部屋）情報である配置場所名称（配置場所パターン名称）等を、建物の識別情報（プランＩＤ）と、部品カテゴリの識別情報（部品カテゴリＩＤ）と、配置場所パターンの識別情報（部品カテゴリパターンＩＤ）と関連付けて部品配置場所パターン情報テーブルに記憶させる処理を実行する構成となっている。
【０２９７】
また、図１９に示す仕上材配置部屋選択画面１０９の表領域１１０の左下の欄外に配置された［図面指示へ］リンクボタン１２０を操作すると、図２０に示されているように、部品である仕上材を顧客の建物図面に配置するための部品建物図面配置画面１２１が表示される。
【０２９８】
この部品建物図面配置画面１２１は、建物図面に配置する部品を選択するための建物図面配置部品選択画面（言い換えると、選択画面部）１２２と、この建物図面配置部品選択画面１２２で選択した部品を建物図面に配置するとともに、この建物図面における選択した部品の位置情報を入力するための部品建物図面配置位置情報入力画面１２３とで構成されている。
【０２９９】
部品建物図面配置画面１２１の右側部分を構成する部品建物図面配置位置情報入力画面１２３は、画像形式の建物図面が表示される建物図面表示領域１２８を有し、この建物図面表示領域１２８に表示される建物図面は、部品建物図面配置画面１２１の左上部に配置されている［図面登録］ボタン１２４を操作して端末装置３からアップロードすることによりサーバ１に登録されるものであり、最大で６枚の建物図面を登録することができる。これらの建物図面の表示の切り替えは、それぞれの建物図面表示領域１２８の上部の建物図面表示タブ１２９を操作することにより行う。また、建物図面表示領域１２８の右上の欄外には、それぞれの建物図面表示領域１２８の建物図面を縮小表示するための図面縮小表示アイコン１３０と、それぞれの建物図面表示領域１２８の建物図面を拡大表示するための図面拡大表示アイコン１３１が配置されている。
【０３００】
そして、部品建物図面配置画面１２１の左側部分を構成する建物図面配置部品選択画面１２２は、前述した図１９の仕上材配置部屋選択画面１０９の表領域１１０のうちの仕上材配置部屋名称表示欄１１２と同様に、仕上材を配置する部屋の部屋名称が上から順に表示される仕上材配置部屋（言い換えると、部品配置場所）名称表示欄（言い換えると、配置場所パターン名称表示欄）１２５となっている。
【０３０１】
それぞれの配置部屋名称表示欄１２５の右隅に表示されている部品ラベル貼付（言い換えると、配置）アイコン１２６を操作することにより、仕上部位名称（図２０の例では、貼付対象となる部品が床の仕上材であるので「床」）と、文字列「＞＞」と、部品ラベル貼付アイコン１２６を操作した配置部屋名称表示欄１２５に表示されている部屋名称を連結した文字列が表示された部品ラベル１３４が、右側の建物図面表示領域１２８に貼付表示される。この後、この部品ラベル１３４をマウスのドラッグ操作（ディスプレイがタッチパネル方式のものである場合には、画面にタッチした指のドラッグ操作）等により、適切な位置に移動させる。
【０３０２】
部品ラベル１３４を建物図面表示領域１２８に貼り付けることにより、操作した部品ラベル貼付アイコン１２６の左側に配置されていて、この部品ラベルの貼付操作をガイドするための文字列「Ｃｌｉｃｋ」が表示されていたガイド文字列表示欄１２７からは、この「Ｃｌｉｃｋ」の文字列が消去される。これと同時に、操作した部品ラベル貼付アイコン１２６の右側に配置されていて、建物図面表示領域１２８に貼り付けた部品ラベル１３４の個数を表示するためのラベル貼付数表示欄１３３には、貼り付けた部品ラベル１３４の個数（図２０の例では「１」）が表示される。
【０３０３】
なお、建物図面表示領域１２８に貼り付けた部品ラベル１３４を消去するためには、この部品ラベル１３４をマウスのドラッグ操作（ディスプレイがタッチパネル方式のものである場合には、画面にタッチした指のドラッグ操作）等により、建物図面表示領域１２８の右下部のゴミ箱アイコン１３２まで移動させる。これにより、消去した部品ラベル１３４と対応する配置部屋名称表示欄１２５の前述したガイド文字列表示欄１２７に「Ｃｌｉｃｋ」の文字列が再度表示されるとともに、ラベル貼付数表示欄１３３から、貼り付けた部品ラベル１３４の個数（図２０の例では「１」）が消去される。
【０３０４】
建物図面表示領域１２８への部品ラベル１３４の貼付作業が完了したら、部品建物図面配置画面１２１が表示されているウィンドウの右上の「閉じる」ボタン１７０を操作する。これにより、「はい」ボタン又は「いいえ」ボタンが表示された図示されないデータの保存確認ウィンドウが表示されるので、「はい」ボタンを操作することにより、建物図面表示領域１２８へ貼り付けた部品ラベル１３４の建物図面における位置情報が、サーバ１の処理手段３０に備えられた図示しない部品建物図面配置位置情報登録処理手段により、サーバ１の図示しない部品建物図面配置位置情報記憶手段（部品建物図面配置位置情報テーブル）に記憶される。この後は、前述した図１９に示されている仕上材配置部屋選択画面１０９に戻る。
【０３０５】
なお、上記部品建物図面配置位置情報テーブルは、顧客の建物図面に配置された部品の位置情報（建物図面における部品の座標情報）等を記憶するための記憶手段（テーブル）であり、この部品建物図面配置位置情報テーブルのデータ項目には、建物の識別情報（プランＩＤ）と、部品カテゴリの識別情報（部品カテゴリＩＤ）と、配置場所パターンの識別情報（部品カテゴリパターンＩＤ）と、顧客の建物図面の識別情報（図面番号）と、顧客の建物図面における部品（仕上材）のＸ座標情報、顧客の建物図面における部品（仕上材）のＹ座標情報等がある。
【０３０６】
また、サーバ１の処理手段３０には、建物図面に配置する部品（仕上材）を選択するための建物図面配置部品選択画面１２２の表示用データを端末装置３へ送信するとともに、建物図面配置部品選択画面１２２で選択されて端末装置３からネットワーク２を介して送信されてくる部品（仕上材）の情報を受信する処理を実行する建物図面配置部品選択受付処理手段が備えられており、建物図面配置部品選択画面１２２における画面制御処理は、この建物図面配置部品選択受付処理手段により実行される。
【０３０７】
また、サーバ１の処理手段３０には、建物図面配置部品選択画面１２２で選択した部品（仕上材）を建物図面に配置するとともに、この建物図面における選択した部品（仕上材）の位置情報を入力するための部品建物図面配置位置情報入力画面１２３の表示用データを端末装置３へ送信するとともに、部品建物図面配置位置情報入力画面１２３で入力されて端末装置３からネットワーク２を介して送信されてくる部品（仕上材）の位置情報を受信する処理を実行する部品建物図面配置位置情報入力受付手段が備えられており、部品建物図面配置位置情報入力画面１２３における画面制御処理は、この部品建物図面配置位置情報入力受付手段により実行される。
【０３０８】
さらに、サーバ１の処理手段３０には、部品建物図面配置位置情報取得処理手段が備えられており、この部品建物図面配置位置情報取得処理手段は、部品建物図面配置位置情報入力画面１２３の建物図面に配置された部品（仕上材）の位置情報（建物図面における部品（仕上材）の座標情報）を取得する処理を実行する構成となっている。
【０３０９】
なお、前述した部品建物図面配置位置情報登録処理手段は、上記部品建物図面配置位置情報取得処理手段により取得された部品建物図面配置位置情報入力画面１２３の建物図面に配置された部品（仕上材）の位置情報（建物図面における部品（仕上材の）座標情報）等を、建物の識別情報（プランＩＤ）と、部品カテゴリの識別情報（部品カテゴリＩＤ）と、配置場所パターンの識別情報（部品カテゴリパターンＩＤ）と、顧客の建物図面の識別情報（図面番号）と関連付けて部品建物図面配置位置情報テーブルに記憶させる処理を実行する構成となっている。
【０３１０】
なお、図２０において建物図面への配置作業が完了した仕上材については、図１９の表領域１１０のセルのうち、この仕上材の配置部屋に対応するセルの部品メーカー名称表示欄１１４、部品名称表示欄１１５、品番表示欄１１６にそれぞれ表示されている情報が、着色（本実施形態では、赤色に着色）されるようになっている。例えば、図２０では、「床＞＞１Ｆ  洋間」と表示されている部品ラベル１３４が、建物図面に貼り付けられているため、図１９の表領域１１０のセルのうち、部品ラベル１３４に対応する仕上材が配置されたセル、すなわち、仕上場所名称表示欄１１３に「床」が表示された列であって、仕上材配置部屋名称表示欄１１２に「１Ｆ  洋間」表示された行が交わる位置（１列目（行見出し欄１１２の列を除く）と５行目（列見出し欄１１３の行を除く）が交わる位置）のセルに表示されている情報である部品メーカー名称、部品名称、品番が赤色に着色される。
【０３１１】
これにより、図１９の仕上材配置部屋選択画面１０９において、図２０の建物図面に配置されている仕上材が一目で分かるようになる。言い換えると、図１９の仕上材配置部屋選択画面１０９に表示されて仕上材が、図２０の建物図面に配置されているか否かが一目で分かるようになる。
【０３１２】
以上説明したように、本実施形態では、仕上材を配置する部屋を選択する作業と、仕上材を建物図面に配置する作業とを連動して行うことができ、これにより、仕上材についての仕様確定作業をより効率化させることができる。
【０３１３】
なお、図１９の仕上材配置部屋選択画面１０９は、図示されない帳票である仕上表を出力するための情報を入力するためのものである。
【０３１４】
また、図２０の部品建物図面配置画面１２１は、顧客の建物図面に部品ラベル１３４が配置された後におけるこの顧客の建物図面を、表計算ソフトウェアで読み込み可能なスプレッドシート形式のデータに変換した帳票である図面指示シートを作成するための情報を入力するためのものである。この図面指示シートは、このシートを読み込んだ表計算ソフトウェアの印刷機能により、プリンターに出力させることができ、印刷された図面指示シートを、建物メーカーの設計部門の担当者に渡すことにより、この担当者は、印刷された図面指示シートを参照しながら、ＣＡＤシステムで作成された顧客の建物図面に部品を配置する作業を効率的に行うことができるようになる。
【０３１５】
本実施形態では、サーバ１は、予め選定された標準的な仕様情報で構成されている建物プラン情報である標準仕様プラン情報を、プランの識別情報と関連付けて記憶する図示されない建物標準仕様プラン情報記憶手段を有しており、顧客の建物プランを建物標準仕様プラン情報記憶手段に記憶されている標準仕様プラン情報を参照して作成できるようになっている。
【０３１６】
この建物標準仕様プラン情報記憶手段に記憶されている標準仕様プラン情報には、建物のメーカーにより予め選定された標準的な仕様情報で構成されているメーカー仕様の標準仕様プラン情報と、建物のディーラ（言い換えると、販売店）により予め選定された標準的な仕様情報で構成されているディーラ仕様の標準仕様プラン情報と、建物のディーラの担当者により予め選定された標準的な仕様情報で構成されている担当者仕様の標準仕様プラン情報等がある。
【０３１７】
本実施形態では、建物標準仕様プラン情報記憶手段である建物標準仕様プラン情報テーブルは、建物標準仕様プラン情報ヘッダーテーブルと、建物標準仕様プラン情報明細テーブルとで構成されている。
【０３１８】
建物標準仕様情報ヘッダーテーブルのデータ項目には、プランＩＤ、販売エリアＩＤ、ユーザＩＤ、プラン名称、プラン画像（例えば、標準仕様プランの建物の全体画像（全景画像）が格納されているサーバ１のファイルパス）、標準仕様プランの説明であるプラン説明文、標準仕様プランに関する情報のリンク情報（標準仕様プランに関する資料が閲覧可能なウェブサイトのＵＲＬ）、この標準仕様プランの公開／非公開区分（０（非公開）、１（公開））、契約日、販売区分、商品区分、版ＩＤ、商品記号、坪面積、階数等があり、プランＩＤが標準仕様プランの識別情報となっている。なお、販売エリアＩＤは、標準仕様プランの販売エリアの識別情報であり、ユーザＩＤはディーラの担当者の識別情報である。建物標準仕様情報ヘッダーテーブルのレコードのうち、販売エリアＩＤ≠ＮＵＬＬ（０としてもよい。以下、同じ）かつユーザＩＤ≠ＮＵＬＬのレコードが、担当者仕様の標準仕様プランの情報レコードであり、販売エリアＩＤ≠ＮＵＬＬかつユーザＩＤ＝ＮＵＬＬのレコードが、ディーラ仕様の標準仕様プランの情報レコードであり、販売エリアＩＤ＝ＮＵＬＬかつユーザＩＤ＝ＮＵＬＬのレコードが、メーカー仕様の標準仕様プランの情報レコードとなっている。
【０３１９】
建物標準仕様情報ヘッダーテーブルに従属する建物標準仕様プラン情報明細テーブルは、建物仕様情報テーブル１１と略同じレイアウトを有しており、標準仕様プランの建物を構成する部品の仕様情報を記憶するためのテーブルである。この建物標準仕様プラン情報明細テーブルのデータ項目には、標準仕様プランの識別情報であるプランＩＤ（建物標準仕様プラン情報ヘッダーテーブルのプランＩＤと同じ）、部品カテゴリＩＤ、パターンＩＤ、部品ＩＤ、確定品番、確定部品名称、確定部品単価、確定数量、代表部品画像（この画像が格納されているサーバ１のファイルパス）、属性種別名称、属性値名称、属性画像、メーカーＩＤ、メーカー名称、確定保留区分、仕上場所区分等がある。なお、前述したように、部品カテゴリＩＤは建物を構成する部品のカテゴリの識別情報であり、部品ＩＤは部品の識別情報である。このため、建物標準仕様情報明細テーブルは、標準仕様プランとなっている建物を構成する部品の仕様情報（属性情報）を記憶するためのテーブルとなっている。
【０３２０】
なお、建物標準仕様プラン情報明細テーブルには、建物標準仕様プラン情報ヘッダーテーブルのプランＩＤと同じプランＩＤを有するレコードが複数存在する。すなわち、建物標準仕様プラン情報ヘッダーテーブルのレコード件数と、建物標準仕様プラン情報明細テーブルのレコード件数とは１対多の関係にある。
【０３２１】
なお、図１６に示す前述した選択部品一覧照会画面１００の「担当者モード」において、［オプション］ボタンを操作することによって、建物仕様情報テーブル１１に記憶されている情報レコードのうち、選択部品一覧照会画面１００で表示されている顧客の建物（言い換えると、施工事例）の情報レコードを、建物の標準仕様プランのデータとして、建物標準仕様プラン情報記憶手段（建物標準仕様プラン情報ヘッダーテーブル、建物標準仕様プラン情報明細テーブル）に記憶させる処理の実行を選択することができるようになっている。この処理は、サーバ１の図示しない建物標準仕様プラン情報施工事例参照登録処理手段により実行される。
【０３２２】
図２１は、顧客の建物プランとして参照コピーする建物の標準仕様プランを選択するための建物標準仕様プラン選択画面１３５を示す図である。この画面１３５は、ウィンドウの最上部に配置されている５つのタブのうち、［標準仕様選択］タブ５９を操作することにより表示されるものとなっている。
【０３２３】
この図２１に示されているように、建物標準仕様プラン選択画面１３５は、建物標準仕様プラン情報ヘッダーテーブルに登録済みの標準仕様プランの一覧が表示されるとともに、この一覧から顧客の建物プランとして参照コピーする標準仕様プランを選択するための標準仕様プラン選択領域１３６と、この標準仕様プラン選択領域１３６の下に配置され、現在選択中の（言い換えると、アクティブとなっている）標準仕様プランの概要情報が表示される標準仕様プラン概要情報表示領域１４０と、を有している。
【０３２４】
標準仕様プラン選択領域１３６に一覧表示される標準仕様プランは、担当者仕様の標準仕様プランの一覧が表示されるウィンドウと、ディーラ仕様（図２１では「販売エリア仕様」と表示）の標準仕様プランの一覧が表示されるウィンドウと、メーカー仕様（図２１では「モデル仕様」と表示）の標準仕様プランの一覧が表示されるウィンドウの３つウィンドウがあり、これらのウィンドウの表示切替は、それぞれのウィンドウ上部の切替タブ１３７の操作により行う。なお、前述したように、建物標準仕様情報ヘッダーテーブルのレコードのデータ項目「販売エリアＩＤ」の情報と「ユーザＩＤ」の情報から、当該レコードの情報が、担当者仕様のレコードか、ディーラ仕様のレコードか、メーカー仕様のレコードか。を判別する。
【０３２５】
それぞれのウィンドウに一覧表示される標準仕様プラン情報表示欄は、標準仕様プラン代表画像表示欄１３８と、標準仕様プラン名称表示欄１３９と、を含んで構成されており、標準仕様プラン代表画像表示欄１３８には、建物標準仕様プラン情報ヘッダーテーブルのレコードのデータ項目「プラン画像」の情報が表示され、標準仕様プラン名称表示欄１３９には、建物標準仕様プラン情報ヘッダーテーブルのレコードのデータ項目「プラン名称」の情報が表示される。なお、一覧表示されている標準仕様プランの上述した表示欄１３８，１３９を操作することにより、この操作した標準仕様プランが選択された状態となる。
【０３２６】
前述したように、現在選択中の標準仕様プランの概要情報が表示される標準仕様プラン概要情報表示領域１４０には、標準仕様プラン名称表示欄１４１と、標準仕様プラン概要情報表示欄１４２と、標準仕様代表部品画像表示欄１４３と、を含んで構成されており、標準仕様プラン名称表示欄１４１には、建物標準仕様プラン情報ヘッダーテーブルのレコードのデータ項目「プラン名称」の情報が表示され、標準仕様プラン概要情報表示欄１４２には、建物標準仕様プラン情報ヘッダーテーブルのレコードのデータ項目「プラン説明文」の情報が表示され、標準仕様代表部品画像表示欄１４３には、建物標準仕様プラン情報明細テーブルのレコードのデータ項目「代表部品画像」の情報（対応する部品カテゴリ情報マスタのレコードのデータ項目「標準仕様プラン表示フラグ」に１（表示する）が設定されている場合のみ）が表示さる。
【０３２７】
また、標準仕様プラン概要情報表示領域１４０の右上部に配置されている［関連サイトを見る］リンクボタン１４４を操作すると、新しいウィンドウが開かれ、建物標準仕様プラン情報明細テーブルのレコードのデータ項目「標準仕様プランに関する情報のリンク情報」の情報である標準仕様プランに関する資料が閲覧可能なウェブサイトのＵＲＬに飛ぶ。
【０３２８】
また、標準仕様プラン概要情報表示領域１４０の右下部に配置されている［この仕様を見る］ボタン１４５を操作すると、図１６に示す選択部品一覧照会画面１００が表示され、標準仕様プラン選択領域１３６で選択された標準仕様プランの建物を構成する部品の詳細情報が照会できるようになっている。
【０３２９】
なお、サーバ１の処理手段３０には、建物の標準仕様プランを選択させるための建物標準仕様プラン選択画面１３５の表示用データを端末装置３へ送信するとともに、建物標準仕様プラン選択画面１３５で選択されて端末装置３からネットワーク２を介して送信されてくる建物の標準仕様プランの識別情報（プランＩＤ）を受信する処理を実行する建物標準仕様プラン選択受付処理手段と、建物標準仕様プラン情報記憶手段を構成する建物標準仕様プラン情報ヘッダーテーブルに記憶されているレコードを抽出する処理を実行する建物標準仕様プラン情報抽出処理手段と、が備えられており、建物標準仕様プラン選択画面１３５の画面制御処理は、上記建物標準仕様プラン選択受付処理手段により実行されるものとなっている。
【０３３０】
また、標準仕様プラン概要情報表示領域１４０の右下部に配置されている［この事例をコピー］ボタン１４６を操作すると、図２２に示すように、顧客の建物プランの仕様情報として、建物標準仕様プラン選択画面１３５で選択した建物の標準仕様プランの情報（データ）のうち、との部位カテゴリ(中分類)の仕様情報をコピーするかを選択させるための建物標準仕様プラン情報コピー部位カテゴリ(中分類)選択画面１４７が表示される。
【０３３１】
この建物標準仕様プラン情報コピー部位カテゴリ(中分類)選択画面１４７の上部は、建物の部位カテゴリ（大分類）のカテゴリ名称が表示された６個の部位（大分類）カテゴリ名称表示欄１４８が横方向に並んで配置されており、それぞれの部位（大分類）カテゴリ名称表示欄１４８の下には、それぞれの部位カテゴリ（大分類）に属する部位カテゴリ（中分類）のカテゴリ名称が表示された部位カテゴリ（中分類）カード１４９が縦方向に並んで配置されている。
【０３３２】
標準仕様プランの仕様情報をコピーしたい部位カテゴリ(中分類)のカテゴリ名称が表示されている部位カテゴリ（中分類）カード１４９を操作することにより、この操作した部位カテゴリ（中分類）カード１４９の背景色が着色されるとともに、この部位カテゴリ（中分類）が選択された状態となる。また、建物標準仕様プラン情報コピー部位カテゴリ(中分類)選択画面１４７の右上に配置されている［全選択］ボタン１５０を操作することにより、この建物標準仕様プラン情報コピー部位カテゴリ(中分類)選択画面１４７に表示されてる部位カテゴリ（中分類）の全部が選択された状態となる。なお、部位カテゴリ（中分類）の選択状態を解除するためには、建物標準仕様プラン情報コピー部位カテゴリ(中分類)選択画面１４７の右上に配置されている［選択解除］ボタン１５１を操作する。
【０３３３】
なお、サーバ１の処理手段３０には、顧客の建物プランの仕様情報として、建物標準仕様プラン選択画面１３５で選択した建物の標準仕様プランの情報（データ）のうち、との部位カテゴリ(中分類)の仕様情報をコピーするかを選択させるための建物標準仕様プラン情報コピー部位カテゴリ(中分類)選択画面１４７の表示用データを端末装置３へ送信するとともに、建物標準仕様プラン情報コピー部位カテゴリ(中分類)選択画面１４７で選択されて端末装置３からネットワーク２を介して送信されてくる部位カテゴリ(中分類)の識別情報（部位カテゴリ（中分類）ＩＤ）を受信する処理を実行する図示しない建物標準仕様プラン情報コピー（複写）部位カテゴリ(中分類)選択受付処理手段が備えられており、建物標準仕様プラン情報コピー部位カテゴリ(中分類)選択画面１４７の画面制御処理は、上記建物標準仕様プラン情報コピー部位カテゴリ(中分類)選択受付処理手段により実行されるものとなっている。
【０３３４】
部位カテゴリ（中分類）の選択作業が完了したら、建物標準仕様プラン情報コピー部位カテゴリ(中分類)選択画面１４７の右下部に配置されている［選択部位をコピー］ボタン１５２を操作する。
【０３３５】
これにより、サーバ１の処理手段３０に備えられた前述した建物仕様情報登録処理手段５０は、前述した建物標準仕様プラン選択受付処理手段により受け付けた建物の標準仕様プランの識別情報（プランＩＤ）と、上述した建物標準仕様プラン情報コピー部位カテゴリ(中分類)選択受付処理手段により受け付けた部位カテゴリ(中分類)の識別情報（部位カテゴリ（中分類）ＩＤ）に基づいて、建物標準仕様プラン情報記憶手段（建物標準仕様プラン情報明細テーブル）に記憶された上述した各記識別情報を有するレコードの情報を、顧客の識別情報（顧客ＩＤ）と顧客の建物の識別情報（プランＩＤ（自動採番））と関連付けて建物仕様情報記憶手段（建物仕様情報テーブル１１）に記憶させる処理を実行する。
【０３３６】
この後は、前述した図１６に示されている選択部品一覧照会画面１００が表示され、この照会画面１００で、作成された顧客の建物プランの詳細情報を照会することができる。
【０３３７】
なお、サーバ１には、本システムにログインするためのユーザ情報を記憶するための図示されないユーザ情報記憶手段（ユーザ情報マスタ）が備えられており、このユーザ情報マスタのデータ項目には、ユーザＩＤ、ユーザアカウント、ユーザ名、パスワード、ユーザ権限区分、販売エリアＩＤ等がある。ここで、「ユーザ権限区分」には、１（システム管理者）、２（ディーラ管理者）、３（ディーラ担当者）等がある。
【０３３８】
図２３及び図２４は、建物の標準仕様プランの情報（データ）をメンテナンス（新規登録、修正、削除）するための建物標準仕様プラン情報メンテナンス画面１５３が示されている図であるが、図２３は、本システムにログインしたユーザのユーザ情報のうちの上述したデータ項目「ユーザ権限区分」の値が３（ディーラ担当者）であるときに表示される建物標準仕様プラン情報メンテナンス画面１５３を示す図であり、図２４は、本システムにログインしたユーザのユーザ情報のうちの上述したデータ項目「ユーザ権限区分」の値が２（ディーラ管理者であるときに表示される建物標準仕様プラン情報メンテナンス画面１５３を示す図である。なお、この建物標準仕様プラン情報メンテナンス画面１５３は、ウィンドウの最上部に配置されている５つのタブのうち、［お客様管理］タブ５５（図２参照）を操作することにより表示される図示されないお客様管理画面の右下に配置された図示しない［標準仕様管理へ］リンクボタンを操作することにより表示されるものとなっている。
【０３３９】
図２３に示す建物標準仕様プラン情報メンテナンス画面１５３は、本システムにログインしたディーラ担当者が自分自身で作成する標準仕様プラン、すなわち、担当者仕様の標準仕様プランのメンテナンスを行うための画面である。
【０３４０】
この建物標準仕様プラン情報メンテナンス画面１５３において、担当者仕様の標準仕様プランを新規作成する場合には、画面１５３の右上部に配置されている［新規作成］ボタン１５４を操作し、画面１５３の中央部に配置されている標準仕様プラン情報入力領域１５５の情報選択入力欄で、標準仕様プラン情報が記憶される建物標準仕様プラン情報記憶手段を構成する建物標準仕様プラン情報ヘッダーテーブルのレコードの情報を入力していく。
【０３４１】
この後、標準仕様プラン情報入力領域１５５の右下部に配置されている［次へ］ボタン１５６を操作することにより、前述した図２や図４等で示されている部位カテゴリ（大分類）選択画面６１がまず表示され、標準仕様プラン情報が記憶される建物標準仕様プラン情報記憶手段を構成する建物標準仕様プラン情報明細テーブルの各レコードの情報である各部品の仕様情報を、部位カテゴリ（大分類）選択画面６１以降の画面で選択入力していく。
【０３４２】
標準仕様プラン情報の選択入力作業が完了したら、標準仕様プラン情報入力領域１５５の右上部に配置されている［保存］ボタン１５７を操作することにより、選択入力した各情報が、建物標準仕様プラン情報ヘッダーテーブルのレコード及び明細テーブルのレコードとして新規登録される。
【０３４３】
一方、登録済の標準仕様プランを修正又は削除する場合には、標準仕様プラン情報入力領域１５５の上部の欄外に配置されている登録済標準仕様プラン選択リストボックス１５８を操作する。すると、登録済の建物標準仕様プラン情報ヘッダーテーブルのレコードのうち、データ項目「ユーザＩＤ」の値が、現在ログインしているディーラ担当者のユーザＩＤの値と一致するレコードのデータ項目「プラン名」の情報のリスト（ディーラ担当者自身が作成した標準仕様プラン情報のプラン名のリスト）が表示されるため、修正又は削除したい標準仕様プランのプラン名を選択することにより、標準仕様プラン情報入力領域１５５の各項目には、選択された登録済の建物標準仕様プラン情報ヘッダーテーブルのレコードの情報がそれぞれ表示される。
【０３４４】
この後、表示されている標準仕様プランを修正する場合には、データを適宜修正した後、［保存］ボタン１５７を操作して建物標準仕様プラン情報ヘッダーテーブルのレコード及び明細テーブルのレコードを更新する。一方、表示されている標準仕様プランを削除する場合には、標準仕様プラン情報入力領域１５５の右上部に配置されている［削除］ボタン１５９を操作することにより、表示されている建物標準仕様プラン情報ヘッダーテーブルのレコード及び明細テーブルのレコードが削除される。
【０３４５】
図２４に示す建物標準仕様プラン情報メンテナンス画面１５３は、少なくとも、本システムにログインしたディーラ管理者が自分自身で作成する標準仕様プラン、すなわち、ディーラ仕様の標準仕様プランのメンテナンスを行うための画面である。
【０３４６】
この建物標準仕様プラン情報メンテナンス画面１５３において、ディーラ管理者自身がディーラ仕様の標準仕様プランを新規作成する場合の操作は、前述した図２３に示す建物標準仕様プラン情報メンテナンス画面１５３において、ディーラ担当者自身が担当者仕様の標準仕様プランを新規作成する場合の操作と同じである。
【０３４７】
なお、図２４に示す建物標準仕様プラン情報メンテナンス画面１５３が、図２３に示す建物標準仕様プラン情報メンテナンス画面１５３と異なるのは、標準仕様プラン情報入力領域１５５の上部の欄外には、図２３でも示されていた標準仕様プラン選択リストボックス１５８の右側に、担当者選択リストボックス１６０が追加配置されていることである。
【０３４８】
担当者選択リストボックス１６０を操作すると、上から「販売エリア」が表示され、この「販売エリア」から下は、ディーラ担当者名がリスト表示される。担当者選択リストボックス１６０に表示されるディーラ担当者名リストのうちの１行目（言い換えると、１番目）に表示される「販売エリア」は、ディーラ管理者と対応するものとなっている。したがって、ディーラ管理者自身が作成したディーラ仕様の標準仕様プラン情報を修正又は削除する場合には、担当者選択リストボックス１６０に表示されるディーラ担当者名リストのうちの１行目に表示される「販売エリア」を選択する。
【０３４９】
次に、標準仕様プラン選択リストボックス１５８を操作すると、ディーラ管理者自身が作成したディーラ仕様の標準仕様プランのプラン名のリストが表示されるので、このプラン名のリストから修正又は削除するプラン名を選択することにより、該当する標準仕様プラン情報が画面１５３の標準仕様プラン情報入力領域１５５に表示される。
【０３５０】
なお、画面１５３の初期画面では、担当者選択リストボックス１６０には、「販売エリア」が表示されるとともに、標準仕様プラン選択リストボックス１５８には、ディーラ管理者自身が作成した１番目の標準仕様プランのプラン名が表示され、このプラン名の標準仕様プラン情報が標準仕様プラン情報入力領域１５５に表示される。
【０３５１】
なお、担当者選択リストボックス１６０で表示されるリストの２行目以降には、現在ログインしているディーラ管理者の販売エリアＩＤと同じ販売エリアＩＤを有するディーラ担当者のユーザ名のリストが表示される。すなわち、ユーザ情報マスタに登録されているレコードのうち、データ項目「販売エリアＩＤ」の値＝現在ログインしているディーラ管理者の販売エリアＩＤ（ユーザ情報マスタを参照）の値、かつ、データ項目「ユーザＩＤ」の値≠現在ログインしているディーラ管理者のユーザＩＤの値となっているレコードのデータ項目「ユーザ名」の情報のリストが、担当者選択リストボックス１６０で表示されるリストの２行目以降に表示される。
【０３５２】
そして、担当者選択リストボックス１６０で表示されるリストのうち、２行目以降のリストのデータであるディーラ担当者名を選択した場合には、標準仕様プラン選択リストボックス１５８には、このディーラ担当者自身が作成した標準仕様プランのプラン名のリストが表示される。すなわち、建物標準仕様プラン情報ヘッダーテーブルのレコードのうち、データ項目「販売エリアＩＤ」の値が担当者選択リストボックス１６０で選択されたディーラ担当者の販売エリアＩＤの値と一致し、データ項目「ユーザＩＤ」の値が担当者選択リストボックス１６０で選択されたディーラ担当者のユーザＩＤの値と一致するレコードのデータ項目「プラン名」の情報のリストが、標準仕様プラン選択リストボックス１５８に表示される。
【０３５３】
図２５は、図２４において、例えば、担当者選択リストボックス１６０で表示されるリストからディーラ担当者名「鈴木  一郎」が選択され、標準仕様プラン選択リストボックス１５８に表示されるリスト（ディーラ担当者「鈴木一郎」が作成した標準仕様プランのプラン名のリスト）から、プラン名「田中三郎様邸」を選択されたときの建物標準仕様プラン情報メンテナンス画面画面１５３、すなわち、図２３で登録済みの担当者仕様の標準仕様プランの情報が選択表示されている建物標準仕様プラン情報メンテナンス画面画面１５３を示す図である。
【０３５４】
この図２５から分かるように、標準仕様プラン情報入力領域１５５の右下部には、図２３及び図２４で表示されていた［次へ］ボタン１５６の代わりに、［販売エリア仕様に変更］ボタン１６１が配置されている。そして、画面１５３のうち、［販売エリア仕様に変更］ボタン１６１、担当者選択リストボックス１６０及び標準仕様プラン選択リストボックス１５８を除いて、各ボタン、各データ入力欄、各リストボックスはグレー表示（図２５ではハッチング表示）となっており、操作ができない状態となっている。
【０３５５】
すなわち、図２５で示されている建物標準仕様プラン情報メンテナンス画面１５３は、［販売エリア仕様に変更］ボタン１６１を操作することにより、標準仕様プラン情報入力領域１５５に現在表示されている担当者仕様の標準仕様プランを、販売エリア（ディーラ）仕様の標準仕様プランに変更できるモードとなっている。
【０３５６】
この［販売エリア仕様に変更］ボタン１６１を操作すると、標準仕様プラン情報入力領域１５５に現在表示されている担当者仕様の標準仕様プラン情報を構成する標準仕様プラン情報ヘッダーテーブルのレコードのうち、データ項目「ユーザＩＤ」にＮＵＬＬがセット（編集）されて更新される。これにより、標準仕様プラン情報ヘッダーテーブルのレコードは、ディーラ仕様の標準仕様プランのレコードとなる。
【０３５７】
このように、本実施形態では、建物標準仕様プラン情報メンテナンス画面１５３において、ディーラ担当者自身が、ディーラ仕様の標準仕様プランのメンテナンスができるとともに、ディーラ担当者自身が作成した担当者仕様の標準仕様プランを、ディーラ仕様の標準仕様プランに簡単に変更する（言い換えると、格上げする）ことができるようになっている。
【０３５８】
これにより、担当者仕様の標準仕様プランのうち、優れたプランや顧客に好評なプランを、ディーラ担当者が所属するディーラ内で共有することができるようになる。言い換えると、ディーラ担当者しか知らなかった担当者仕様の標準仕様プランのうち、優れたプランや顧客に好評なプランをディーラ内で有効利用することができる。
【０３５９】
なお、本実施形態では、担当者仕様の標準仕様プランをディーラ仕様の標準仕様プランに変更することができるようになっているが、担当者仕様の標準仕様プランをメーカー仕様の標準仕様プランにも変更する（言い換えると、格上する）ことができるようにしてもよい。この場合には、担当者仕様の標準仕様プランを構成する標準仕様プラン情報ヘッダーテーブルのレコードのうち、データ項目「販売エリアＩＤ」及びデータ項目「ユーザＩＤ」のそれぞれにＮＵＬＬがセットされて更新する処理が実行されるようにすればよい。さらに、ディーラ仕様の標準仕様プランをメーカー仕様の標準仕様プランにも変更する（言い換えると、格上する）ことができるようにしてもよい。この場合には、ディーラ仕様の標準仕様プランを構成する標準仕様プラン情報ヘッダーテーブルのレコードのうち、データ項目「販売エリアＩＤ」及びデータ項目「ユーザＩＤ」のそれぞれにＮＵＬＬがセットされて更新する処理が実行されるようにすればよい。
【０３６０】
なお、サーバ１の処理手段３０には、建物の標準仕様プランの情報を選択入力するための建物標準仕様プラン情報メンテナンス画面１５３の表示用データを端末装置３へ送信するとともに、建物標準仕様プラン情報メンテナンス画面１５３で選択入力されて端末装置３からネットワーク２を介して送信されてくる建物の標準仕様プランの情報を受信する処理を実行する構成となっている図示しない建物標準仕様プラン情報選択入力受付処理手段が備えられている。建物標準仕様プラン情報メンテナンス画面１５３における画面制御処理は、この建物標準仕様プラン情報選択入力受付処理手段により実行される。
【０３６１】
また、サーバ１の処理手段３０には、担当者選択リストボックス１６０で表示されるリストから選択された情報と、標準仕様プラン選択リストボックス１５８に表示されるリストから選択された情報に基づいて、建物標準仕様プラン情報記憶手段を構成する建物標準仕様プラン情報ヘッダーテーブルのレコードを抽出する処理を実行するとともに、この建物標準仕様プラン情報ヘッダーテーブルのレコードに従属する建物標準仕様プラン情報明細テーブルのレコードを抽出する処理を実行する図示しない建物標準仕様プラン情報抽出処理手段が備えられている。
【０３６２】
また、サーバ１の処理手段３０には、建物標準仕様プラン情報選択入力受付処理手段により受け付けた建物の標準仕様プランの情報を建物の識別情報（プランＩＤ（新規登録の場合には、自動採番））と関連付けて建物標準仕様プラン情報記憶手段（建物標準仕様プラン情報ヘッダーテーブル、建物標準仕様プラン情報明細テーブル）に記憶させる処理を実行する建物標準仕様プラン情報登録処理手段が備えられている。建物標準仕様プラン情報メンテナンス画面１５３で選択入力された建物の標準仕様プランの情報は、上述した建物標準仕様プラン情報登録処理手段により、建物標準仕様プラン情報ヘッダーテーブル及び建物標準仕様プラン情報明細テーブルに記憶される。
【０３６３】
以上説明した本実施形態は、建物である住宅に適用したものであったが、以上説明した本実施形態は、建物である事務所、倉庫、店舗、工場、校舎、宿泊所、車庫等にも適用できるものである。
【０３６４】
なお、以上説明した実施形態における各マスタ及び各テーブルの項目、レイアウト、データ構造は一例であり、上述したものに限定されるものではなく、任意なものでよい。
【産業上の利用可能性】
【０３６５】
本発明は、建物である住宅、事務所、倉庫、店舗、工場、校舎、宿泊所、車庫等の仕様の確定を支援するための建物仕様確定支援システムに利用できる。
【符号の説明】
【０３６６】
１  サーバ
２  ネットワーク
３  端末装置
１１  建物仕様情報記憶処理手段である建物仕様情報テーブル
２３  構造チェックシート
３１  建物仕様情報選択入力受付処理手段
５１  構造チェックシート出力処理手段
６０  建物仕様情報選択入力画面を構成する部位カテゴリ選択画面
６１  部位カテゴリ選択画面を構成する部位カテゴリ（大分類）選択画面
６３，６４，６５  切替ボタン
６７  部位カテゴリ選択画面を構成する部位カテゴリ（中分類）選択画面
７２  建物仕様情報選択入力画面を構成する部品カテゴリ選択画面
８０  建物仕様情報選択入力画面を構成する部品選択画面
８５  建物仕様情報選択入力画面を構成する部品仕様情報選択入力画面
８５  部品カテゴリ選択画面を構成する部位カテゴリ（中分類）選択画面
【図１】
2015212847.tif 000003
【図２】
2015212847.tif 000004
【図３】
2015212847.tif 000005
【図４】
2015212847.tif 000006
【図５】
2015212847.tif 000007
【図６】
2015212847.tif 000008
【図７】
2015212847.tif 000009
【図８】
2015212847.tif 000010
【図９】
2015212847.tif 000011
【図１０】
2015212847.tif 000012
【図１１】
2015212847.tif 000013
【図１２】
2015212847.tif 000014
【図１３】
2015212847.tif 000015
【図１４】
2015212847.tif 000016
【図１５】
2015212847.tif 000017
【図１６】
2015212847.tif 000018
【図１７】
2015212847.tif 000019
【図１８】
2015212847.tif 000020
【図１９】
2015212847.tif 000021
【図２０】
2015212847.tif 000022
【図２１】
2015212847.tif 000023
【図２２】
2015212847.tif 000024
【図２３】
2015212847.tif 000025
【図２４】
2015212847.tif 000026
【図２５】
2015212847.tif 000027